(57)【要約】【課題】操作が容易で、コストも低く、安全性が高い撮像機器の使用制限機能を実現すること。【解決手段】撮像機器としてのカメラ本体１２と、該カメラ本体１２とは別体に構成され、該カメラ本体１２に対して撮影実行指令を送信することによりそれが撮像を行なうように構成された指令機器としての光学式リモコン５４と、を含む撮像システムにおいて、上記光学式リモコン５４から、上記カメラ本体１２に対して当該カメラ本体１２が当該光学式リモコン５４の認証を行なうための認証情報を送信し、上記カメラ本体１２では、上記光学式リモコン５４から送信された上記認証情報を受信して認識し、当該認識された上記認証情報に基づいて、撮影済みの画像の再生等の自己の所定の機能の制限を行なう。【選択図】図１Ａ
2008109590.tif 000002
【特許請求の範囲】
【請求項１】
撮像手段を備えた撮像機器と、該撮像機器の本体とは別体に構成され、該撮像機器本体に対して撮影実行指令を送信することにより上記撮像手段が撮像を行なうように構成された指令機器と、を含む撮像システムにおいて、
上記指令機器は、上記撮像機器に対して当該撮像機器が当該指令機器の認証を行なうための認証情報を送信する認証情報送信手段を含み、
上記撮像機器は、
上記指令機器の上記認証情報送信手段から送信された上記認証情報を受信する認証情報受信手段と、
上記認証情報受信手段で受信された上記認証情報を認識する認証情報認識手段と、
上記認証情報認識手段で認識された上記認証情報に基づいて当該撮像機器の所定の機能の制限を行なう機能制限手段と、
を具備することを特徴とする撮像システム。
【請求項２】
上記撮像機器は、上記撮像手段で撮像された画像を再生する画像再生手段を更に具備し、
上記撮像機器の上記機能制限手段は、上記画像再生手段に係る機能を制限することを特徴とする請求項１に記載の撮像システム。
【請求項３】
上記指令機器は、上記撮影実行指令を含む上記撮像機器の撮像動作に関わる撮影指令、又は、上記撮像機器の上記機能の制限に関わる認証モード切り替え指令を、指令機器情報として送信する指令機器情報送信手段を更に具備することを特徴とする請求項１に記載の撮像システム。
【請求項４】
上記指令機器は、上記撮影指令と上記認証モード切り替え指令との何れを上記指令機器情報送信手段によって送信するかを切り替える切り替え手段を更に具備することを特徴とする請求項３に記載の撮像システム。
【請求項５】
上記撮像機器は、
上記指令機器の上記指令機器情報送信手段から送信された上記指令機器情報を受信する指令機器情報受信手段と、
上記指令機器情報受信手段で受信された指令機器情報の内容を判別する指令判別手段を更に具備することを特徴とする請求項３に記載の撮像システム。
【請求項６】
上記撮像機器は、上記指令判別手段で判別した上記認証モード切り替え指令に応じて、当該撮像機器の認証モードを設定するモード設定手段を更に具備し、
上記撮像機器の上記機能制限手段は、上記モード設定手段によって設定された認証モードに応じて当該撮像機器の機能の制限を行なうことを特徴とする請求項５に記載の撮像機器。
【請求項７】
上記撮像機器の上記モード設定手段は、更に、当該撮像機器の電源投入時には、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項６に記載の撮像システム。
【請求項８】
上記撮像機器の上記モード設定手段は、当該撮像機器の電源断時に、現在設定されている認証モードを記憶しておくメモリを有することを特徴とする請求項６に記載の撮像システム。
【請求項９】
上記撮像機器の上記モード設定手段の上記メモリは、電源オフでも記憶内容を保持できる不揮発性メモリであることを特徴とする請求項８に記載の撮像システム。
【請求項１０】
上記撮像機器の上記モード設定手段は、更に、当該撮像機器の電源投入時には、上記メモリに記憶されている認証モードを読み出して、その認証モードに設定することを特徴とする請求項８に記載の撮像システム。
【請求項１１】
上記撮像機器の上記モード設定手段は、上記指令機器からの上記認証モード切り替え指令に応じてのみ、上記認証モードの設定を行うことを特徴とする請求項６に記載の撮像システム。
【請求項１２】
上記撮像機器は、時間を計測する時間計測手段を更に具備し、
上記撮像機器の上記モード設定手段は、更に、上記時間計測手段によって計測された時間に基づいて、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項６に記載の撮像システム。
【請求項１３】
上記撮像機器の上記時間計測手段は、当該撮像機器の電源オフ後でも時間を計測し続け、
上記撮像機器の上記モード設定手段は、上記時間計測手段が所定の時間を計測したときに、上記禁止モードを設定することを特徴とする請求項１２に記載の撮像システム。
【請求項１４】
上記撮像機器の上記モード設定手段は、電池が消耗あるいは取り外された場合、直ちにあるいは予め設定された時間後、あるいは電圧監視の結果により、上記認証モードとして、上記禁止モードを設定することを特徴とする請求項１２又は１３に記載の撮像システム。
【請求項１５】
上記認証情報は、光又は電波で送信されることを特徴とする請求項１に記載の撮像システム。
【請求項１６】
上記撮像機器は、上記認証情報送信手段を有する指令機器に加えて、上記認証情報送信手段を有さず、少なくとも上記撮影実行指令を送信可能な指令機器を利用可能であることを特徴とする請求項１に記載の撮像システム。
【請求項１７】
上記撮像機器は、内蔵メモリを更に具備し、
上記撮像機器の上記機能制限手段は、上記モード設定手段によって認証モードとして上記指令機器以外での当該撮像機器の機能の実行を不可とする禁止モードが設定されている場合、上記指令判別手段で判別した上記指令機器からの撮影実行指令に基づいて上記撮像手段で撮像を行った時、その撮像された画像の保存先を上記内蔵メモリのみに制限することを特徴とする請求項６に記載の撮像システム。
【請求項１８】
上記撮像機器の上記機能制限手段は、上記内蔵メモリに記憶された画像を読み出して、表示、コピー、移動、印刷の何れかを行う場合は、上記認証情報認識手段で認識された上記認証情報により認証された指令機器からの上記撮影指令によってのみ行なうよう制限することを特徴とする請求項１７に記載の撮像システム。
【請求項１９】
上記撮像機器は、更に、着脱可能なメモリを装着可能に構成され、
上記内蔵メモリに記憶された画像を上記着脱可能なメモリにコピー又は移動する場合は、暗号化して記憶することを特徴とする請求項１７又は１８に記載の撮像システム。
【請求項２０】
上記指令機器は、上記撮像手段で撮像された画像を上記内蔵メモリに記録するか、上記着脱可能なメモリに記録するかを選択する手段を更に具備することを特徴とする請求項１９に記載の撮像システム。
【請求項２１】
上記撮像機器は、上記撮像手段で撮像された画像を記憶する際、上記モード設定手段によって現在設定されている認証モードを示す認証モード情報を付加して記憶する手段を更に具備することを特徴とする請求項６に記載の撮像システム。
【請求項２２】
上記撮像機器の上記機能制限手段は、上記記憶した画像を再生する際、当該画像に上記認証モード情報が付加されていた場合、その認証モード情報が当該撮像機器において上記モード設定手段によって設定されている現在の認証モードと同じ認証モードを示すときのみ、当該画像の再生を許可することを特徴とする請求項２１に記載の撮像システム。
【請求項２３】
上記指令機器は、上記認証情報送信手段で送信する上記認証情報として、乱数発生手段により生成した乱数を含む認証情報を生成する認証情報生成手段を更に具備することを特徴とする請求項１に記載の撮像システム。
【請求項２４】
上記指令機器は、上記認証情報送信手段で送信する上記認証情報として、予め記憶した表の中から選んだデータを含む認証情報を生成する認証情報生成手段を更に具備することを特徴とする請求項１に記載の撮像システム。
【請求項２５】
上記指令機器は、
上記指令機器情報送信手段による上記認証モード切り替え指令の送信時を起点として計数を開始する第１の計数手段と、
上記認証モード切り替え指令の送信後、上記指令機器情報を上記指令機器情報送信手段から送信する際には、上記第１の計数手段の計数値を上記指令機器情報に含めて送信させる手段と、
を更に具備し、
上記撮像機器は、
上記指令機器からの上記認証モード切り替え指令に基づいた上記モード設定手段による認証モードの設定時から計数を開始する第２の計数手段と、
上記指令機器情報受信手段によって上記指令機器から上記指令機器情報を受信した際には、その受信した指令機器情報に含まれる上記第１の計数手段の計数値を上記第２の計数手段の計数値と比較する比較手段と、
を更に具備し、
上記撮像機器の上記機能制限手段は、上記比較手段の比較結果に基づいて上記機能の制限を設定することを特徴とする請求項６に記載の撮像システム。
【請求項２６】
上記指令機器の上記指令機器情報送信手段は、上記指令機器情報に上記認証情報を付加して送信し、
上記撮像機器の上記機能制限手段は、上記撮像手段での撮像に関する機能については、上記認証情報認識手段での上記認証情報の認識結果にかかわらず制限を行わず、それ以外の機能については、上記指令機器情報受信手段で受信し上記認証情報認識手段で認識した上記指令機器情報に付加された認証情報に基づいて機能の制限を行うことを特徴とする請求項５に記載の撮像システム。
【請求項２７】
上記指令機器の上記指令機器情報送信手段は、上記指令機器情報に更に、上記制限する機能の範囲を指定する機能範囲情報を付加して送信し、
上記撮像機器の上記機能制限手段は、上記指令機器情報受信手段で受信した上記指令機器情報に付加された上記機能範囲情報に従って機能の制限を行うことを特徴とする請求項２６に記載の撮像システム。
【請求項２８】
上記認証情報は、上記撮像機器に固有のＩＤ情報を含むことを特徴とする請求項１に記載の撮像システム。
【請求項２９】
上記指令機器の上記指令機器情報送信手段は、上記指令機器情報に上記認証情報を付加して送信し、
上記撮像機器は、上記指令機器情報受信手段で受信した上記認証情報が付加された上記指令機器情報に従った動作を行なうことを特徴とする請求項５に記載の撮像システム。
【請求項３０】
上記認証情報は、上記指令機器情報とは送信情報の時間軸要素が異なることを特徴とする請求項３に記載の撮像システム。
【請求項３１】
上記認証情報は、通常の指令機器情報では現れない特殊パターンを用いることを特徴とする請求項３に記載の撮像システム。
【請求項３２】
上記撮像機器の上記認証情報受信手段は、少なくとも１８０度異なる方向からの上記認証情報を受信できることを特徴とする請求項１に記載の撮像システム。
【請求項３３】
撮像手段を備えた撮像機器と、該撮像機器の本体とは別体に構成され、該撮像機器本体に対して撮影実行指令を送信することにより上記撮像手段が撮像を行なうように構成された指令機器と、の間で行なわれる上記撮像機器の認証方法であって、
上記指令機器から、上記撮像機器に対して当該撮像機器が当該指令機器の認証を行なうための認証情報を送信し、
上記撮像機器で、上記指令機器から送信された上記認証情報を受信して、上記認証情報を認識し、当該認識された上記認証情報に基づいて当該撮像機器の所定の機能の制限を行なう、
ことを特徴とする撮像機器の認証方法。
【請求項３４】
上記指令機器の上記認証情報送信手段は、上記指令機器情報送信手段が上記指令機器情報を送信する際、上記認証情報を送信し、
上記撮像機器の上記機能制限手段は、上記撮像手段での撮像に関する機能については、上記認証情報認識手段での上記認証情報の認識結果にかかわらず制限を行わず、それ以外の機能については、上記指令機器情報受信手段で上記指令機器情報を受信した際に、上記認証情報受信手段で受信し上記認証情報認識手段で認識した上記認証情報に基づいて機能の制限を行うことを特徴とする請求項５に記載の撮像システム。
【請求項３５】
上記指令機器情報に含めて送信される上記第１の計数手段の計数値は、上記指令機器情報とは送信情報の時間軸要素が異なることを特徴とする請求項２５に記載の撮像システム。
【請求項３６】
上記指令機器情報に含めて送信される上記機能範囲情報は、上記指令機器情報とは送信情報の時間軸要素が異なることを特徴とする請求項２７に記載の撮像システム。
【請求項３７】
上記指令機器情報に含めて送信される上記第１の計数手段の計数値は、通常の指令機器情報では現れない特殊パターンを用いることを特徴とする請求項２５に記載の撮像システム。
【請求項３８】
上記指令機器情報に含めて送信される上記機能範囲情報は、通常の指令機器情報では現れない特殊パターンを用いることを特徴とする請求項２７に記載の撮像システム。
【請求項３９】
上記撮像機器の上記指令機器情報受信手段は、少なくとも１８０度異なる方向からの上記指令機器情報を受信できることを特徴とする請求項５に記載の撮像システム。
【発明の詳細な説明】
【技術分野】
【０００１】
本発明は、撮像機器と該撮像機器の本体とは別体に構成された指令機器とを含む撮像システム、及び、そのような撮像システムにおける撮像機器の認証方法に関する。
【背景技術】
【０００２】
近年、個人情報の保護や情報セキュリティへの関心が高まり、自分で撮影した画像であっても画像の内容により、また他人が映っている場合には特に、個人情報の保護やプライバシ保護の観点から撮影済み画像の慎重な取り扱いが求められる場合が増加している。
【０００３】
従来の３５ｍｍフィルムカメラの場合、撮影枚数は２４枚から３６枚であり、仮に３６枚撮影済みフィルムを装填したままカメラを紛失あるいは盗まれても失う画像は高々３６枚であり、もちろん内容によっては大きな損失につながったり、情報流出によるリスクが無いわけではなかったが、失う画像の数としてはデジタルカメラに比べると相対的に少なかった。
【０００４】
一方、デジタルカメラの時代となり、撮影した画像はデジタル情報としてカメラ内のメモリに記録されており、簡単にコピーができると共に、所有者の許可なしにコピーされても元の画像はそのまま残っているため気がつかないことも起こり得る。
【０００５】
近年、デジタルカメラ用の記憶媒体の記憶容量は増加の一途をたどっている。メモリカードでは４ギガバイトの製品も発売されている。半導体の世界では、ムーアの法則が知られており、デザインルールは９０ｎｍから６５ｎｍへ、更には４５ｎｍへと細密化されつつあり、今後も半導体メモリの記憶容量は増加してゆく趨勢にある。また、小型ハードディスクの容量も増加しており、コンパクトフラッシュ（登録商標）カードサイズのハードディスクでも数ギガバイトになってきており、今後も記憶容量は増加してゆく趨勢にある。
【０００６】
例えば画像一枚あたりの記憶容量が平均１メガバイトの場合、２ギガバイトのメモリカードには２０００枚、６ギガバイトのハードディスクには６０００枚の画像が記録でき、フィルムカメラの時代とは比べ物にならないほど大量の個人情報をカメラと一緒に携帯している状況である。
【０００７】
デジタルカメラの画像には撮影日などが一緒に記録されており、またＧＰＳによる位置情報が記録できる製品もある。つまり、個人の行動記録や交友関係などのプライバシ情報が画像やデータとして大量に保管されている。もしカメラを紛失した場合、カメラは数万円から数十万円で買いなおせるが、失った画像や情報は時としてもっと大きな損失を招くリスクもある。
【０００８】
デジタルカメラでの画像記録フォーマットは標準化されており、カメラから着脱可能なメモリカードあるいはカード型ハードディスクを取り出してカード読取装置やパーソナルコンピュータ（以下、パソコンと略記する）のメモリスロットに差し込めば容易に画像や付帯情報を見たりコピーできる。
【０００９】
メモリの大容量化と低価格化を背景に、カメラに着脱できない１６メガバイト程度の内蔵メモリを持ち、万一着脱メモリが一杯になったり、忘れてきた場合でも画像の記録ができるカメラも出現してきた。そこで、内蔵メモリの容量を大きくして、内蔵メモリに画像を記録して、特定の条件でなければ内蔵メモリの画像は再生等ができないようにして安全性を高めると共に、従来の着脱式メモリは他との互換性を持たせるという使い方も実現出来る様になってきた。
【００１０】
従前よりカメラに所有者以外の使用を制限したり禁止することで情報漏洩や不正使用の防止を図りセキュリティを高める方法がいくつも提案されている。
【００１１】
例えば、特許文献１では、使用者のＩＤ情報を登録しておき、使用に先立ちＩＤ情報を読み取り照合し、一致した時のみ使用を許可するようにしている。具体的には、網膜パターン、指紋、声紋の照合機能を持たせることが提案されている。また、メモリカードにＩＤ情報を入れておき、読み取らせることも提案されている。また、ＩＤ入力部としてキーボードを設け、暗証番号を入力する方法も提案されている。
【００１２】
また、特許文献２では、ユーザが所持しているユーザの個人情報を記憶した電子機器と電子装置とが無線交信を行い、ユーザの個人情報を電子装置が自動的に読み取り、ユーザに応じて電子装置をカスタマイズすることが提案されている。
【００１３】
また、特許文献３では、リモートコントローラ（以下、リモコンと略記する）に識別データを記憶し、車庫のシャッタを開閉するシステムが提案されている。認証情報として秘密鍵を用いることや、情報暗号化が提案されている。また音声、虹彩、指紋の認証も提案されている。
【００１４】
また、情報や機器並びにシステムのセキュリティを確保するための方式として、安全性の高い公開鍵基盤による電子証明書の利用や、認証サーバとネットワークを利用したワンタイムパスワードの利用、が実用に供されている。
【特許文献１】特開２０００−１４７６２３号公報
【特許文献２】特開２００３−１６９２４７号公報
【特許文献３】特開２００５−４２３９８号公報
【発明の開示】
【発明が解決しようとする課題】
【００１５】
上記特許文献１では、網膜パターン、指紋、声紋の照合機能を持たせることが提案されているが、現在の技術レベルでは、他人受入れ率を厳しくすれば本人拒否率が上がってしまうことが知られており、１００％の認証は難しく、また認証機構が複雑なためコストがかかる。また、メモリカードにＩＤ情報を入れておき読み取らせることも提案されているが、デジタルカメラの画像記憶用メモリカードを兼用する場合はそのカメラ専用になってしまい、互換性を必要とする情報システムでは使い勝手が悪くなる。あるいは、画像記憶用メモリとは別にＩＤ用のカードを使用する場合は、画像記憶用メモリカードと区別して厳密に管理する必要があり、煩雑である。また、ＩＤ入力部としてキーボードを設け、暗証番号を入力する方法も提案されているが、暗証番号は盗み見や類推され易いという問題があることは周知のとおりである。
【００１６】
また、上記特許文献２では、利用者識別による使い勝手の向上を目的としており、利用者が見つからなかった場合にはデフォルト値でのカメラ使用を許可しているので、セキュリティ上の効果はない。
【００１７】
また、上記特許文献３では、認証情報として秘密鍵を用いることや情報暗号化が提案されており、車のドアの開閉やエンジンスタートの解除という鍵としての機能は満たされているが、単機能であり、ユーザの状況に応じた使用制限については開示されていない。更に、音声、虹彩、指紋の認証も提案されているが、携帯可能なカメラ等で認識率１００％の確保は難しく、１００回に一回でも認識できない場合があるとかえって不便をかけることになり、コストが掛かる割にはメリットが少ない。
【００１８】
また、情報や機器並びにシステムのセキュリティを確保するための方式として、安全性の高い公開鍵基盤による電子証明書の利用や、認証サーバとネットワークを利用したワンタイムパスワードの利用、が実用に供されているが、いずれも大掛かりなネットワークシステムが必要で、その運用費用は膨大であり、携帯情報機器であるカメラ等には不向きである。
【００１９】
本発明は、上記の点に鑑みてなされたもので、操作が容易で、コストも低く、安全性が高い撮像機器の使用制限機能を実現することが可能な撮像システム及び撮像機器の認証方法を提供することを目的とする。
【課題を解決するための手段】
【００２０】
本発明の撮像システムの一態様は、撮像手段を備えた撮像機器と、該撮像機器の本体とは別体に構成され、該撮像機器本体に対して撮影実行指令を送信することにより上記撮像手段が撮像を行なうように構成された指令機器と、を含む撮像システムにおいて、
上記指令機器は、上記撮像機器に対して当該撮像機器が当該指令機器の認証を行なうための認証情報を送信する認証情報送信手段を含み、
上記撮像機器は、
上記指令機器の上記認証情報送信手段から送信された上記認証情報を受信する認証情報受信手段と、
上記認証情報受信手段で受信された上記認証情報を認識する認証情報認識手段と、
上記認証情報認識手段で認識された上記認証情報に基づいて当該撮像機器の所定の機能の制限を行なう機能制限手段と、
を具備することを特徴とする。
【００２１】
また、本発明の撮像機器の認証方法の一態様は、撮像手段を備えた撮像機器と、該撮像機器の本体とは別体に構成され、該撮像機器本体に対して撮影実行指令を送信することにより上記撮像手段が撮像を行なうように構成された指令機器と、の間で行なわれる上記撮像機器の認証方法であって、
上記指令機器から、上記撮像機器に対して当該撮像機器が当該指令機器の認証を行なうための認証情報を送信し、
上記撮像機器で、上記指令機器から送信された上記認証情報を受信して、上記認証情報を認識し、当該認識された上記認証情報に基づいて当該撮像機器の所定の機能の制限を行なう、
ことを特徴とする。
【発明の効果】
【００２２】
本発明によれば、撮像機器本体とは別の指令機器に認証情報を持ち、撮像機器に認証情報を設定することにより、万一撮像機器を紛失した場合でも、指令機器からの認証情報が来なければ、撮影済みの画像の再生等の所定の機能が制限され、セキュリティを確保することが可能であると共に、小型の指令機器を撮影実行指令送信用と認証情報送信用に兼用することで、携行に負担が少なく操作も容易な撮像機器のセキュリティシステムを実現できる。
【００２３】
従って、操作が容易で、コストも低く、安全性が高い撮像機器の使用制限機能を実現することが可能な撮像システム及び撮像機器の認証方法を提供することができる。
【発明を実施するための最良の形態】
【００２４】
以下、本発明を実施するための最良の形態を図面を参照して説明する。
【００２５】
［第１実施形態］
本発明の第１実施形態に係る撮像システムは、撮像機器と、該撮像機器の本体とは別体に構成され、該撮像機器本体に対して撮影実行指令を送信することにより上記撮像機器が撮像を行なうように構成された指令機器と、を含む。
【００２６】
図１Ａ（Ａ）及び図１Ｂは、上記撮像機器の一例としてのデジタルカメラ１０の外観構成を示す斜視図である。即ち、図１Ａ（Ａ）に示すように、該デジタルカメラ１０のカメラ本体１２の前面には、撮影用のレンズ部１４、撮影補助光発光用のフラッシュ１６、指令機器、例えば光学式のリモコンよりの信号受光用の受光素子１８、タイマ撮影時の予告表示やリモコンよりの指令確認用の発光素子２０、撮影状態での録音や撮影後の音声メッセージ付加に用いるマイクロフォン２２が配置されている。
【００２７】
また、カメラ本体１２の上面には、シャッタスイッチ２４が設けられている。このシャッタスイッチ２４は、静止画撮影状態では、２段モーションスイッチとなり、その半押しでピント合わせ、全押しでシャッタを切ることが出来る。これに対して、動画撮影状態では、１回押すと撮影を開始し、２回目を押すと撮影を停止する。また、カメラ本体１２の上面には更に、電源のオン、オフのスイッチであるパワースイッチ２６、電源オン時に点灯するパワーランプ２８、３位置切り替えのスライドスイッチであって、静止画撮影状態、動画撮影状態、画像再生状態が選択できるセレクトスイッチ３０、等が配置されている。
【００２８】
カメラ本体１２の内部には、指令機器としての例えば電波式のリモコンよりの信号を受信するためのアンテナ３２が構成されている。なお、上記受光素子１８及びアンテナ３２は、当該デジタルカメラ１０用の指令機器であるリモコンが光学式であるのか電波式であるのかに応じて、何れか一方が有れば良いものである。勿論、両方式のリモコンに対応させる場合には、両方が必要である。
【００２９】
一方、カメラ本体１２の背面には、図１Ｂに示すように、モニタ３４が設けられている。このモニタ３４は、１．８乃至は３インチ超で１１万画素乃至は２３万画素超の液晶等の表示器が用いられ、撮影時の画像確認、撮影後の画像の表示、撮影シーン選択用の撮影例画像表示、撮影条件等の設定メニュー、撮影枚数や電池残量の表示などを行なう。
【００３０】
更に、カメラ本体１２の背面には、十字スイッチ３６、ＯＫボタン３８、メニューボタン４０、ズームスイッチ４２、消去ボタン４４、プリントボタン４６、等が配置されている。ここで、十字スイッチ３６は、上下左右に押すことが出来る４箇所シーソスイッチであり、モニタ３４上に表示された複数項目の選択時に上下、左右に選択項目を移動する場合や、再生画像の前後の駒送りなどに用いる。ＯＫボタン３８は、条件設定時にモニタ３４上の選択項目を決定するスイッチであり、メニューボタン４０は、条件設定用の各種メニューを表示させるためのスイッチである。ズームスイッチ４２は、左右２箇所のシーソスイッチであり、撮影状態においては、Ｔ側を押すとレンズ部１４のズームレンズを望遠側に動かし、Ｗ側を押すと広角側にズームレンズを駆動する。また、このズームスイッチ４２は、再生状態では、画像の拡大や縮小、あるいはマルチ画面表示の制御にも使われる。再生状態で、消去ボタン４４を押すと、モニタ３４に消去の実行確認の表示が現れて、十字スイッチ３６により消去を選択してＯＫボタン３８を押すと、表示されている画像が消去される。また、再生状態で、プリントボタン４６を押すと、モニタ３４にプリントメニューを表示し、該デジタルカメラ１０とプリンタ（図示せず）が接続されていれば、当該デジタルカメラ１０内の画像を印刷することが出来る。
【００３１】
また、カメラ本体１２の側面には、警告音や確認音の発生や、再生状態で録音されている音を再生するスピーカ４８が設けられている。
【００３２】
図２は、撮像機器の別の例としてのデジタルムービカメラ５０の外観構成を示す斜視図である。ここで、上記デジタルカメラ１０と同様の機能部材については、同一の参照番号を付す。即ち、このデジタルムービカメラ５０においては、そのカメラ本体１２の前面には、撮影用のレンズ部１４、撮影補助光発光用のフラッシュ１６、指令機器よりの信号受光用の受光素子１８、タイマ撮影時の予告表示や指令機器よりの指令確認用の発光素子２０、撮影状態での録音や撮影後の音声メッセージ付加に用いるマイクロフォン２２が配置されている。
【００３３】
また、カメラ本体１２の側面には、モニタ３４が回動自在に取り付けられており、撮影中の画像や撮影後の再生画像が表示でき、使わない時にはカメラ本体１２に密着収納できる。更に、カメラ本体１２の側面には、電源のオン、オフと、撮影や再生のモード切り替えが出来る電源モードスイッチ５２が配置されている。
【００３４】
カメラ本体１２の上面には、ズームスイッチ４２が設けられている。このズームスイッチ４２は、左右２箇所のシーソスイッチであり、撮影状態でＴ側を押すとズームレンズを望遠側に動かし、Ｗ側を押すと広角側にレンズを駆動する。また、再生状態では、モニタ３４における画像の拡大や縮小、あるいはマルチ画面表示の制御にも使われる。
【００３５】
この他に、特に図示はしていないが、カメラ本体１２の側面や背面などに、各種接続コネクタ、メニューボタン、シャッタスイッチなどがある。
【００３６】
図１Ａ（Ｂ）は、指令機器の一例としてのカメラ用の光学式リモコン５４の外観構成を示す斜視図である。即ち、この光学式リモコン５４の端面には、指令発信用の発光部５６が構成されており、該発光部５６より指令機器情報として撮影指令や認証モード切り替え指令を撮像機器であるデジタルカメラ１０やデジタルムービカメラ５０に発信する。
【００３７】
また、上面には、撮影指令ボタン５８、認証設定スイッチ６０、テレボタン６２、ワイドボタン６４、プラスボタン６６、マイナスボタン６８、等が配置されている。該光学式リモコン５４は、撮影指令ボタン５８が押された時に撮影指令として撮影実行指令を撮像機器に発信する。認証設定スイッチ６０は、その操作部６０Ａの位置により通常位置と認証位置を切り替えるためのものであり、その位置により他のスイッチ６２〜６８の機能が切り替わるようになっている。
【００３８】
図１Ａ（Ｃ）及び図１Ａ（Ｄ）は、上記認証設定スイッチ６０の拡大図である。この認証設定スイッチ６０は、２位置切り替えスイッチであり、操作部６０Ａが図１Ａ（Ｃ）のように上方の通常位置６０Ｂにある時は通常位置、図１Ａ（Ｄ）のように下方の認証位置６０Ｃにある時は認証位置となる。
【００３９】
即ち、テレボタン６２が押された時、通常位置となっていれば、撮影指令として撮像機器にレンズ部１４を望遠側に駆動するＴボタン指令を発信し、認証位置となっていれば、認証モード切り替え指令として撮像機器を制限モードに切り替える指令（制限指令）を発信する。ワイドボタン６４押された時には、通常位置では、撮影指令として撮像機器にレンズ部１４を広角側に駆動するＷボタン指令を発信し、認証位置では、認証モード切り替え指令として撮像機器を設定モードに切り替える指令（設定指令）を発信する。プラスボタン６６が押された時は、通常位置では、撮影指令として再生時の駒送りやメニュー選択時の選択項目移動の指令を発信し、認証位置では、認証モード切り替え指令として撮像機器を禁止モードに切り替える指令（禁止指令）を発信する。マイナスボタン６８が押された時は、通常位置では、撮影指令として再生時の駒送りやメニュー選択時の選択項目移動の指令を発信し、認証位置では、認証モード切り替え指令として撮像機器を許可モードに切り替える指令（許可指令）を発信する。なお、撮像機器における各モードの詳細については後で説明する。
【００４０】
また、認証機能を持たない普通リモコンの場合は、認証設定スイッチ６０は不要であり、後述するように、撮像機器が許可モードあるいは制限モードで許可されている機能に対する指令を発信することができる。
【００４１】
図３（Ａ）は、指令機器の他の例として、カメラ用の別の光学式リモコン７０の外観構成を示す斜視図である。ここで、上記光学式リモコン５４と同様の機能部材については、同一の参照番号を付す。即ち、この光学式リモコン７０においても、その端面に、指令発信用の発光部５６があり、該発光部５６より指令機器情報としての撮影指令や認証モード切り替え指令を撮像機器に発信する。そして、上面には、撮影指令ボタン５８、認証設定スイッチ６０、テレボタン６２、ワイドボタン６４、十字スイッチ７２、ＯＫボタン７４、メニューボタン７６、プリントボタン７８、情報ボタン８０、消去ボタン８２、回転ボタン８４、保護ボタン８６、等が配置されている。
【００４２】
該光学式リモコン７０は、撮影指令ボタン５８が押された時に、撮影指令として撮影実行指令を撮像機器に発信する。また、テレボタン６２が押された時はＴボタン指令を発信し、それを受信した撮像機器においては、撮影状態であればレンズ部１４を望遠側に駆動し、再生状態であればモニタ３４における画像の拡大やマルチ画面の表示制御を行うようになっている。同様に、ワイドボタン６４が押された時はＷボタン指令を発信し、それを受信した撮像機器において、撮影状態ではレンズ部１４を広角側に駆動し、再生状態ではモニタ３４における画像の縮小やマルチ画面の表示の制御を行う。
【００４３】
また、十字スイッチ７２は、上下左右に押すことが出来る４箇所シーソスイッチであり、その押された方向に応じた操作指令を発信する。これは、撮像機器におけるモニタ３４上に表示された複数項目の選択時に上下、左右に選択項目を指示する場合や、再生画像の前後の駒送りなどに用いられる。ＯＫボタン７４は、条件設定時にモニタ３４上の選択項目を決定するスイッチであり、それが押された時にＯＫ指令を発信する。メニューボタン７６は、条件設定用の各種メニューをモニタ３４に表示させるためのスイッチであり、それが押された時にメニュー指令を発信する。
【００４４】
また、消去ボタン８２が押されると消去指令を発信し、撮像機器においては、それを受信した時に再生状態で消去が機能制限されていなければ、モニタ３４に消去の実行確認の表示を行う。そして、十字スイッチ７２により消去を選択した上で、ＯＫボタン７４が押されると、表示されている画像が消去されるものである。
【００４５】
認証設定スイッチ６０は、図１Ａ（Ｃ）及び図１Ａ（Ｄ）と同様に、その操作部６０Ａの位置により通常位置と認証位置を切り替えるためのものであり、その位置により他のボタン７８，８０，８４，８６の機能が切り替わるようになっている。
【００４６】
即ち、通常位置でプリントボタン７８が押された時には、撮影指令として印刷指令を発信し、それを受信した撮像機器においては、モニタ３４にプリントメニューを表示し、当該撮像機器とプリンタが接続されていれば撮像機器内の画像を印刷することが出来る。これに対して、認証位置でプリントボタン７８が押されると、認証モード切り替え指令として設定指令を発信し、その受信に応じて撮像機器が設定モードに切り替わる。
【００４７】
また、通常位置で情報ボタン８０が押された時には、撮影指令として情報表示指令を発信し、それを受信した撮像機器においては、モニタ３４に表示画像の情報を表示する。これに対して、認証位置で情報ボタン８０が押された場合には、認証モード切り替え指令として制限指令を発信し、その受信に応じて撮像機器が制限モードに切り替わる。
【００４８】
また、通常位置で回転ボタン８４が押された時には、撮影指令として回転指令を発信し、それを受信した撮像機器においては、モニタ３４の表示画像が９０度回転する。これに対して、認証位置で回転ボタン８４が押された場合には、認証モード切り替え指令として許可指令を発信し、その受信に応じて撮像機器が許可モードに切り替わる。
【００４９】
そして、通常位置で保護ボタン８６が押されると、撮影指令として保護指令を発信し、それを受信した撮像機器においては、モニタ３４の表示画像に保護フラグをつけ、消去できないように保護する。なお、この保護フラグは、上記メニューボタン７６の操作によるメニューで解除することが出来る。これに対して、認証位置で保護ボタン８６が押された時には、認証モード切り替え指令として禁止指令を発信し、その受信に応じて撮像機器が禁止モードに切り替わる。
【００５０】
図３（Ｂ）は、指令機器の他の例として、カメラ用の電波式リモコン８８の外観構成を示す斜視図である。ここで、上記光学式リモコン５４と同様の機能部材については、同一の参照番号を付す。即ち、この電波式リモコン８８においては、指令電波を発信するアンテナ９０が内蔵されており、該アンテナ９０によって指令機器情報としての撮影指令や認証モード切り替え指令を撮像機器に発信する。
【００５１】
この電波式リモコン８８の上面には、撮影指令ボタン５８、テレボタン６２、ワイドボタン６４、プラスボタン６６、マイナスボタン６８、制限ボタン９２、設定ボタン９４、禁止ボタン９６、許可ボタン９８、等が配置されている。
【００５２】
該電波式リモコン８８は、撮影指令ボタン５８が押された時に撮影指令として撮影実行指令を撮像機器に発信する。また、テレボタン６２が押された時は、撮像機器にレンズ部１４を望遠側に駆動するＴボタン指令を発信する。ワイドボタン６４が押された時は、撮像機器にレンズ部１４を広角側に駆動するＷボタン指令を発信する。プラスボタン６６が押された時は、再生時の駒送りやメニュー選択時の選択項目移動の指令を発信する。マイナスボタン６８が押された時は、再生時の駒送りやメニュー選択時の選択項目移動の指令を発信する。
【００５３】
また、制限ボタン９２が押された時は、認証モード切り替え指令として制限指令を発信し、その受信に応じて撮像機器が制限モードへ切り替わる。設定ボタン９４が押された時には、認証モード切り替え指令として設定指令を発信し、その受信に応じて撮像機器が設定モードに切り替わる。禁止ボタン９６が押された時には、認証モード切り替え指令として禁止指令を発信し、その受信に応じて撮像機器が禁止モードに切り替わる。許可ボタン９８が押された時には、認証モード切り替え指令として許可指令を発信し、その受信に応じて撮像機器が許可モードに切り替わる。
【００５４】
このように、この電波式リモコン８８では、認証設定スイッチは無く、通常使用と認証切り替えのボタンは独立している。認証モードの切り替えは重要なので、ミスタッチなどによる誤操作を防止するために、ボタン９２〜９８の何れかと撮影指令ボタン５８とを同時に押した時に、認証モードでの対応するモードへの切り替え指令を発信するようにしても良い。
【００５５】
なお、上記リモコン５４、７０、８８はそれぞれ指令機器の例であり、上記構成に限定されるものではないことは勿論である。例えば、リモコン５４又は７０のスイッチ及びボタン配置を持った電波式リモコンや、リモコン８８のスイッチ及びボタン配置を持つ光学式リモコンであっても構わないし、更にスイッチ、ボタンを追加しても構わない。
【００５６】
図４は、上記デジタルカメラ１０の電気的な構成を示すブロック図である。上記レンズ部１４は、被写体の像を撮像素子１００上に結像させる。撮像機器の種類によって一眼レフタイプやレンズシャッタタイプ、あるいはズーム機能、オートフォーカス機能、明るさ絞り機能などを含む。撮像素子１００は、被写体の像を電気信号に変換するもので、ＣＣＤタイプやＣＭＯＳタイプの撮像素子が用いられ、画素数は１００万画素クラスから１０００万画素超クラスが用いられる。撮像処理回路１０２は、撮像素子１００からの信号を処理しＡ／Ｄ変換して、メニュー等で設定されている所定のフォーマットで内蔵メモリ１０４あるいは着脱メモリ１０６に記録する。そのフォーマットとしては、画像圧縮しないＲＡＷデータ形式や標準圧縮方式によるＪＰＥＧ形式あるいは動画の場合はモーションＪＰＥＧ形式やＭＰＥＧ２、ＭＰＥＧ４形式などが用いられる。
【００５７】
受信部１０８は、上記電波式リモコン８８よりの指令電波をアンテナ３２で受信した信号を、増幅、復調し、主制御部１１０と協調してデコードして指令データに変換する。受光部１１２は、上記光学式リモコン５４あるいは７０よりの指令光を受光素子１８で電気信号に変換し、増幅、復調し、主制御部１１０と協調してデコードして指令データに変換する。リモコンが光学式あるいは電波式の何れか一方のみ用いられる場合は、対応する受信部１０８あるいは受光部１１２があれば良い。
【００５８】
ズーム制御部１１４は、静止画あるいは動画撮影が可能な場合に、カメラ本体１２のズームスイッチ４２あるいはリモコン５４，７０又８８のテレボタン６２もしくはワイドボタン６４が操作されたとき、レンズ部１４を駆動する。露光制御部１１６は、デジタルカメラ１０に設定されている撮影条件にしたがって被写体の明るさに応じて絞りの制御や撮像素子１００の制御を行なう。測距制御部１１８は、撮像素子１００からの信号を用いてレンズ部１４の駆動及び合焦検出制御を行なう。
【００５９】
画像処理回路１２０は、主制御部１１０のＣＰＵ及びプログラムと協調して、画像の拡大縮小、圧縮伸長、歪補正、色補正、ノイズ除去、合成、回転などの処理を行なう。着脱メモリ１０６は、画像記録用のメモリであり、半導体メモリカードやハードディスクドライブで構成され、カメラ本体１２のコネクタ（図示せず）に着脱できる。この着脱メモリ１０６としては、数十メガバイトから数ギガバイトのものが用いられ、画像やその属性情報が記録される。暗号化・復号化回路１２２は、着脱メモリ１０６に画像を記録する際に暗号化して記録する場合及び暗号化された画像を復号化する場合に用いる。ただし、処理を主制御部１１０のＣＰＵでプログラムで行なう場合は省略することができる。外部インターフェイス１２４は、デジタルカメラ１０とプリンタやパソコンあるいはハードディスクなどの外部記憶装置やテレビジョン受像機（以下、テレビと略記する）などとの接続のための信号変換機能とコネクタを含む。プリンタとの接続にはピクトブリッジ、パソコンや外部記憶装置とはＵＳＢ、テレビとはビデオケーブル等で接続することが出来る。
【００６０】
バス１２６は、各部を結ぶ共通信号線群であり、データバス、アドレスバス、コントロールバスなどである。主制御部１１０は、特に図示はしていないが、ＣＰＵ、ＲＯＭ、ＲＡＭ、レジスタ、カウンタ、タイマ、書き換え可能な不揮発性メモリなどを含むマイクロコンピュータシステムであり、当該デジタルカメラ１０全体の制御や表示、データ処理を司る。また、この主制御部１１０は、不揮発性メモリに記録した当該デジタルカメラ１０に対応するリモコンを識別するための固定リモコン識別情報を用いて、リモコンからの認証情報を認識する認証情報認識部１１０Ａを有している。即ち、本第１実施形態は、固定リモコン識別情報を認証情報として用いるものである。なお、上記固定リモコン識別情報の記録は、当該デジタルカメラ１０の工場出荷前あるいは販売前に行なっておくことが望ましい。更に、この固定リモコン識別情報は、不正利用を防止する観点から、暗号化されていることが望ましい。
【００６１】
内蔵メモリ１０４は、撮影した画像を当該内蔵メモリ１０４のみに記録することが選択されている場合の画像等の記録、あるいは禁止モードにおける撮影画像等の記録、あるいは制限モード及び許可モードにおいて着脱メモリ１０６が一杯あるいは無い場合にも画像の記録が出来る、当該デジタルカメラ１０から取り出し出来ないメモリである。この内蔵メモリ１０４としては、数十メガバイトから数ギガバイトの半導体メモリあるいは数百メガバイトから十ギガバイトクラスの超小型ハードディスクが好適である。
【００６２】
モードメモリ１２８は、不揮発性メモリで構成され、認証モードの記憶、保持をすることができる。電源がオフでも記憶は保持されており、これにより、禁止モード等が設定されていて故意あるいは過失で電池が抜かれたまま放置された場合であっても禁止モード等は保持され、次の電源オン時には禁止モード等になる。
【００６３】
フラッシュ１６は、静止画撮影時に、メニューで設定されたフラッシュモード、例えば暗い時や逆光で自動発光するモード、弱く発光するソフト発光モード、本発光前に数回の予備発光をする赤目軽減モード、必ず発光する強制発光モード、発光しない発光禁止モード、にしたがってフラッシュ発光を行なう。発光部１３０は、発光素子２０の点灯を制御する。表示制御部１３２は、モニタ３４に撮影画像や再生画像、メニューや情報及び警報用の文字や記号の表示制御を行なう。音声処理部１３４は、撮影時にマイクロフォン２２で拾った音を処理して記録させることや、再生時に記録されている音を再生処理してスピーカ４８に供給したり、警報音等をスピーカ４８に供給する。
【００６４】
電源回路１３６は、電池１３８あるいは外部の電源（図示せず）からの電力を、各部に必要な電圧に変換して供給する。電池１３８は交換可能で、リチュームイオン充電電池や乾電池が用いられる。
【００６５】
禁止タイマ１４０は、タイマスタート後、予め設定された時間が経過した時にタイムアップとなり、モードメモリ１２８の認証モードを禁止モードに設定する。電池１３８及び電源回路１３６と協働してカメラ本体１２の電源がオフの状態であっても禁止タイマ１４０には電源が供給されており、カウントを続け予め設定された時間が経過した時タイムアップとなりモードメモリ１２８の認証モードを禁止モードにする。この際、短時間、主制御部１１０とモードメモリ１２８に電源を供給して禁止モードをプログラムで設定する様に構成することもできる。あるいは、主制御部１１０は介さずに禁止タイマ１４０自身でモードメモリ１２８の禁止設定が行なえるよう、禁止モード設定アドレスの発生と、禁止モードデータの発生及び制御バスの短時間駆動によって、モードメモリ１２８に禁止モードの設定を行なっても良い。また、電源回路１３６に電圧監視機能を持たせて、回路動作にとって電圧が不十分なレベルになる前に禁止モードを設定するようにしても良い。電池１３８が抜き取られた場合に、バックアップ電池あるいはキャパシタの有無等を考慮して予め設定された時間後に禁止モードに強制移行しても良い。
【００６６】
このような方式を採用することにより、故意あるいは過失により電池１３８が抜き取られたまま、あるいは消耗したまま放置されてバックアップ用の電池あるいはキャパシタの電気も消耗してしまい禁止タイマ１４０がカウントできなくなって、予め設定した時間が経過しても禁止モードを設定することができなくなってしまい、当該デジタルカメラ１０が使用できてしまうことを防止できる。
【００６７】
パワースイッチ２６でカメラ本体１２の電源のオン、オフを行い、オンのときはパワーランプ２８が点灯している。シャッタスイッチ２４、セレクトスイッチ３０は図１Ａ（Ａ）及び図１Ｂの説明と同様である。十字スイッチ３６、ＯＫボタン３８、メニューボタン４０、ズームスイッチ４２、消去ボタン４４、プリントボタン４６は、図２を参照して説明した通りである。各スイッチ及びボタンは、主制御部１１０のＣＰＵの割り込みライン及び／又は入出力ポートに接続されている。
【００６８】
デジタルムービカメラ５０の場合、外観等は長時間の動画撮影時の操作性等を考慮した形状になっているが、基本的な機能構成は、図４に示したデジタルカメラ１０のそれと同様である。
【００６９】
図５（Ａ）は、上記光学式リモコン５４の電気的な構成を示すブロック図である。制御部１４２は、ボタン５８，６２〜６８の何れかがオンになった時、認証設定スイッチ６０の状態を読み取り、その状態に対応した指令信号を発生する。また、この制御部１４２は、撮像機器と対応する認証機能付きリモコンを識別するための、固定リモコン識別情報を不揮発性メモリに記録しておく認証情報記憶部１４２Ａを有している。この認証情報記憶部１４２Ａへの固定リモコン識別情報の記録は、工場出荷前あるいは販売前に行なっておくことが望ましい。更に、この固定リモコン識別情報は、不正利用を防止する観点から、暗号化されていることが望ましい。
【００７０】
制御部１４２は、ボタンが押し続けられている間は、予め設定された時間、信号を発生する。変調部１４４は、制御部１４２よりの信号で、発振部１４６が発生する搬送波を変調してトランジスタ１４８を駆動し、発光部５６を点滅させる。抵抗１５０は、電流制限用である。発光部５６には、赤外線発光ダイオードで波長が９００〜９５０ｎｍのものが用いられることが多いが、他の波長あるいは可視光でも良い。
【００７１】
図５（Ｂ）は、上記光学式リモコン７０の電気的な構成を示すブロック図である。制御部１４２は、ボタン及びスイッチ５８，６２，６４，７２〜８６の何れかがオンになった時、認証設定スイッチ６０の状態を読み取り、その状態に対応した指令信号を発生する。また、制御部１４２は、撮像機器と対応する認証機能付きリモコンを識別するための、固定リモコン識別情報を不揮発性メモリに記録しておく認証情報記憶部１４２Ａを有している。この認証情報記憶部１４２Ａへの固定リモコン識別情報の記録は、工場出荷前あるいは販売前に行なっておくことが望ましい。更に、この固定リモコン識別情報は、不正利用を防止する観点から、暗号化されていることが望ましい。
【００７２】
制御部１４２は、ボタン又はスイッチが押し続けられている間は、予め設定された時間、信号を発生する。搬送波周波数として４０ＫＨｚを用いる場合、該制御部１４２として、ワンチップマイコンで直接発光ダイオードを駆動できるものを用いれば、プログラムで高周波変調信号を発生させ、上記変調部１４４と発振部１４６とトランジスタ１４８を省略する構成をとることが出来る。したがって、電流制限用の抵抗１５０を介して電源に接続されている発光部５６は、直接、制御部１４２に接続される。
【００７３】
図６は、上記電波式リモコン８８の電気的な構成を示すブロック図である。制御部１４２は、ボタン５８，６２〜６８，９２〜９８の何れかがオンになった時、そのボタンの機能に対応した指令信号を発生する。また、制御部１４２は、固定リモコン識別情報を不揮発性メモリに記録しておく認証情報記憶部１４２Ａを有している。この認証情報記憶部１４２Ａへの固定リモコン識別情報の記録は、工場出荷前あるいは販売前に行なっておくことが望ましい。更に、この固定リモコン識別情報は、不正利用を防止する観点から、暗号化されていることが望ましい。
【００７４】
制御部１４２は、ボタンが押し続けられている間は、予め設定された時間、信号を発生する。変調部１４４は、制御部１４２よりの信号で、発振部１４６が発生する搬送波を変調して電力増幅部１５２で増幅して、アンテナ９０より電波を輻射する。
【００７５】
図７は、デジタルカメラ１０における上記受光部１１２の構成を示すブロック図である。受光素子１８は、光学式リモコン５４又は７０よりの光を電流に変換する。なお、受光素子１８の前面には、使用波長に合わせた光を通す光学フィルタ（図示せず）を設けて外乱光の影響を除去することが望ましい。上記受光素子１８で変換された電流は、増幅部１１２Ａで増幅され、フィルタ部１１２Ｂで搬送波周波数に合わせた帯域が通過された後、検波部１１２Ｃで検波され、積分部１１２Ｄで搬送波周波数成分が除去されて信号成分が再生され、波形整形部１１２Ｅで整形されて、デコーダ部１１２Ｆで指令機器情報に変換される。
【００７６】
図８は、デジタルカメラ１０における上記受信部１０８の構成を示すブロック図である。アンテナ３２は、電波式リモコン８８よりの電波を電流に変換する。このアンテナ３２で変換された電流は、増幅部１０８Ａで増幅され、フィルタ部１０８Ｂで搬送波周波数に合わせた帯域が通過された後、検波部１０８Ｃで検波され、積分部１０８Ｄで搬送波周波数成分が除去されて信号成分が再生され、波形整形部１０８Ｅで整形されて、デコーダ部１０８Ｆで指令機器情報に変換される。
【００７７】
光学式リモコン５４及び７０の発生する信号を、図９（Ａ）乃至図９（Ｄ）を参照して説明する。
【００７８】
ここで、図９（Ａ）は、送信データ信号の基本を示す図である。８ビットの１バイトデータを送信する場合、送信データ信号は、リーダコードと、８ビットデータ部と、スットプコードと、から構成される。図９（Ｂ）は、データ信号１ビットの構成を示す図である。論理「０」の場合、信号単位時間Ｔ＝５００マイクロ秒（以下μＳ）のオンとオフの計１ミリ秒（以下ｍＳ）で表し、論理「１」の場合、１Ｔのオンと３Ｔのオフの計２ｍＳで表す。図９（Ａ）のデータ信号の場合は、リーダコードが８Ｔのオンと４Ｔのオフで計１２Ｔ＝６ｍＳであり、データ８ビット（「０１０１００１１」）は論理「０」が４個で４ｍＳ、論理「１」が４個で８ｍＳの合計１２ｍＳ、ストップコードは６０Ｔで３０ｍＳであり、合計４８ｍＳとなる。
【００７９】
図９（Ｃ）は、データｎバイトを送る場合を示す図であり、リーダコードに続きｎバイトのデータ、最後にストップコードとなる。
【００８０】
図９（Ｄ）は、図５（Ａ）に示した光学式リモコン５４の変調部１４４の出力波形を示す図である。制御部１４２よりのデータ信号により発振部１４６から供給される搬送波を変調し、トランジスタ１４８を駆動する論理「０」の波形を示している。搬送周波数４０ｋＨｚの場合、１Ｔ＝５００μＳには搬送波２０パルスが入り、発光部５６のＬＥＤを点滅する。
【００８１】
図５（Ｂ）に示した光学式リモコン７０においても同様である。
【００８２】
発光部５６よりの光は、図７の受光素子１８で略図９（Ｄ）の変調波形に近い形の信号に様々なノイズや直流成分が乗った形で再生される。そして、搬送波周波数４０ｋＨｚの帯域通過フィルタ部１１２Ｂで雑音等を除去した後、検波部１１２Ｃと積分部１１２Ｄ及び波形整形部１１２Ｅで図９（Ｃ）の信号波形が再生され、デコーダ部１１２Ｆでデータに変換される。
【００８３】
図１０（Ａ）乃至（Ｆ）は、光学式リモコン５４及び７０の指令機器情報のデータフォーマットを示す図である。図１０（Ａ）は、図９（Ｃ）に相当するものであり、基本的には、リーダコード１５４とストップコード１５６で指令機器情報の内容を示すデータ部１５８を挟む形で、固定長でも可変長でも良い。また、図１０（Ｂ）に示すように、データ部１５８の前にヘッダ１６０を付けて、データ形式やリモコンの種類などを固定フォームで追加しても良い。更に、図１０（Ｃ）に示すように、データ部１５８の後ろに、エラー検出のためのデータやエラー訂正用のデータ（ＥＣＣ１６２）を添付しても良い。あるいは、市販の家電製品用のリモコンで行なわれているようなデータビットパターンを直後に反転して送り、両者の一致を取ってエラーの有無を検出するようにしても良い。
【００８４】
本第１実施形態においては、更に、認証情報として固定リモコン識別情報１６４を送信する。この場合、図１０（Ｄ）乃至（Ｆ）に示すように独立した固定リモコン識別情報１６４を付加して送信するようにしても良いし、データ部１５８又はヘッダ１６０の一部に含めて送信することもできる（後者の場合、デーフォーマットは図１０（Ａ）乃至（Ｃ）に示すものとなる）。
【００８５】
この固定リモコン識別情報１６４は、図４で説明した、デジタルカメラ１０の主制御部１１０の認証情報認識部１１０Ａに記憶されている固定リモコン識別情報１６４と同じものであり、リモコンよりの指令が正しいリモコンから送信されたものか否かを判別するために用いる。固定リモコン識別情報１６４は、図５（Ａ）及び（Ｂ）で説明したように、デジタルカメラ１０と対になるリモコン５４，７０の制御部１４２の認証情報記憶部１４２Ａに、同じ情報が書き込まれている。よって、もしリモコン５４又は７０あるいはデジタルカメラ１０が壊れたり紛失した場合に壊れたほうを買いなおす場合は、メーカあるいは販売店で身分証明などで正規の所有者であり盗品等でないことを示して、固定リモコン識別情報を書き直して貰う事ができる。
【００８６】
図１１は、上記電波式リモコン８８の発生する信号を示す図である。図６に示した制御部１４２から変調部１４４に供給されるデータ信号は、図９（Ａ）乃至（Ｃ）と同様である。搬送周波数として微弱電波の規制値が厳しくなる３２２ＭＨｚより低くなお且つアンテナが短くてすむ３１５ＭＨｚを用い、発振部１４６より変調部１４４に供給しデータ信号で変調すると、図１１に示すような信号波形（図は、論理「０」の波形）が得られる。データ信号１Ｔ＝５００μＳに３１５ＭＨｚの搬送波の周期３．１７μＳの搬送波がおおよそ１５７サイクル含まれる。電力増幅部１５２で所定の出力を得てアンテナ９０より輻射される。
【００８７】
図８で説明したように、アンテナ３２で受信された電波は、増幅部１０８Ａでノイズやその他の電波と共に増幅され、搬送波周波数３１５ＭＨｚの帯域通過フィルタ部１０８Ｂで雑音等が除去された後、検波部１０８Ｃと積分部１０８Ｄ及び波形整形部１０８Ｅで図９（Ｃ）の信号波形が再生され、デコーダ部１０８Ｆでデータに変換される。
【００８８】
図１２は、カメラ本体１２の認証モードを示す図である。同図に示すように、認証モードには、「禁止モード」、「制限モード」、「設定モード」、及び「許可モード」の４種類がある。
【００８９】
「禁止モード」は、リモコン以外での使用を不可とするモードである。リモコンからの信号がないとカメラ本体１２の操作は出来ないので、リモコンをカメラ本体１２とは別に携帯あるいは保管しておき、カメラ本体１２を禁止モードにしておくことにより、万一カメラ本体１２単体を紛失してしまい、そのカメラ本体１２を第三者が入手したとしても、第三者がそのカメラ本体１２を使用することは出来ない。保管時や携帯時に紛失してもカメラ本体１２が使用できないと共に、カメラ本体１２内の画像の漏洩が防止できる。なお、この禁止モードでも、リモコン保有者はリモコンを使ってカメラ本体１２を操作することができる。
【００９０】
「制限モード」は、図１４を参照して後述するような許可されている機能のみが使用できるモードである。この制限モードは、一時的にカメラ本体１２を貸す場合や、本人が使用して撮影のみ行なう場合で、消去や転送を禁止する場合に便利である。
【００９１】
「設定モード」は、上記制限モードにおける制限機能の設定・変更をリモコンを用いて行なうことが出来るモードである。
【００９２】
「許可モード」は、カメラ本体１２を自由に使えるモードであり、本人や家族が盗難等のリスクが少ない自宅など限定された場所で使用する場合や、カメラ本体１２内の画像を消去した状態で他人に貸与する場合に好適な、いわばカメラ本体１２に鍵が掛かっていない状態である。
【００９３】
図１３は、カメラ本体１２の電源の投入時の認証モード設定指定に関する選択を説明する図である。この設定は、メニューを使って、電源投入時にモードメモリ１２８の記憶モードに関係なく強制的に禁止モードとなる設定（「禁止モード」）と、電源投入時にモードメモリ１２８に記憶されている認証モード（「モードメモリ記憶モード」）になる設定との何れかかが指定できる。これは、メニューで電源投入時の認証モード設定の画面を表示し、光学式リモコン５４又は電波式リモコン８８のプラスボタン６６とマイナスボタン６８、あるいは光学式リモコン７０の十字スイッチ７２で選択し、撮影指令ボタン５８により確定する操作で設定する。この設定結果は、モードメモリ１２８又は主制御部１１０内の不揮発性メモリに保存される。
【００９４】
電源投入時に「禁止モード」となるように設定しておくことにより、リモコンを持っていてリモコンで指令するか、リモコンで他の認証モードに切り替えない限り、カメラ本体１２単独では使用できない、即ちカメラ本体１２に鍵が掛かった状態にできる。これに対して、電源投入時に「モードメモリ記憶モード」となるように設定しておけば、カメラ本体１２はモードメモリ１２８に記憶されているモードとなり、許可モードであればカメラ本体１２を自由に使用でき、制限モードであれば設定された使用可能機能に従った使用ができる。禁止モード及び設定モードであれば、リモコンが必要である。許可モード及び制限モードになった場合は、禁止タイマ１４０がスタートし、設定された時間が過ぎると禁止モードになる。
【００９５】
図１４は、制限モードでの使用可能な機能を説明する図である。リモコンの設定スイッチ（光学式リモコン５４では認証設定スイッチ６０及びワイドボタン６４、光学式リモコン７０では認証設定スイッチ６０及びプリントボタン７８、電波式リモコン８８では設定ボタン９４）を押すと設定モードに切り替わり、図１４に示す機能と制限フラグがモニタ３４に表示され、光学式リモコン５４又は電波式リモコン８８のプラスボタン６６とマイナスボタン６８、あるいは光学式リモコン７０の十字スイッチ７２で項目を選択し、撮影指令ボタン５８により可又は不可を確定する操作で設定することが出来る。その設定結果は、機能制限表として、モードメモリ１２８又は主制御部１１０内の不揮発性メモリに保存される。
【００９６】
ここで、「撮影可」で静止画及び動画の撮影ができる。
【００９７】
「再生可」で内蔵メモリ１０４及び着脱メモリ１０６内の画像の再生が出来る。更に再生状態で使用可能な機能を細かく設定できる。即ち、「消去可」で消去ができ、「転送可」でパソコン等への転送ができ、「印刷可」でプリンタへの印刷ができ、「編集可」で画像の編集が出来る。
【００９８】
「メニュー可」で撮影条件の変更などができる。
【００９９】
また、上述したように、カメラ本体１２のスイッチやボタンが押された場合、カメラ本体１２の主制御部１１０のＣＰＵに割込みやリセットが掛かり、対応した動作が行なわれる。図１５（Ａ）は、その大略を示した図である。各対応動作の詳細については後述するので、ここでは対応の概要を、デジタルカメラ１０の場合を例に説明するものであり、撮像機器の種類により、対応するスイッチやボタンが無いもの、別の名称となっているもの、等もある。
【０１００】
カメラ本体１２が電源オフの状態で、パワースイッチ２６が押されると電源が入り、主制御部１１０のＣＰＵにリセットが掛かり動作が開始される。また、電源がオンの状態でパワースイッチ２６が押されると、動作を終了し電源がオフとなる。
【０１０１】
セレクトスイッチ３０が切り替わると、現在の状態を終了し、新たな状態に移行する。シャッタスイッチ２４が押されると、シャッタスイッチオンのフラグを立てる。このフラグはプログラムで読み取られ、撮像動作の開始や終了動作を行なう。メニューボタン４０が押されると、モニタ３４にメニューを表示し、十字スイッチ３６やＯＫボタン３８での設定変更ができる。メニュー表示中に再度メニューボタン４０が押されると、メニュー動作は終了する。ズームスイッチ４２がＴ側あるいはＷ側に押されると、ズーム制御部１１４を駆動する。十字スイッチ３６の何れかが押されると、対応するスイッチフラグを立てる。ＯＫボタン３８が押されると、ＯＫボタンフラグを立てる。消去ボタン４４が押されると、モニタ３４に消去の確認メニューを表示し、対応する確認のスイッチが押されると消去を実行する。プリントボタン４６が押されると、モニタ３４にプリントメニューを表示し、以降所定の印刷動作を行なう。
【０１０２】
上記で立てられたフラグは、用途によって読み取られた段階でクリアされる場合と、スイッチやボタンが押し続けられている間（オンの間）は立てておきオフでクリアされる場合がある。
【０１０３】
次に、図１５（Ｂ）を参照して、リモコンのスイッチやボタンが押された場合のカメラ本体１２の対応動作の大略を説明する。リモコンの種類により、対応するボタン等が無いものもある。カメラ本体１２は電源オン後、常にリモコンよりの信号を受信し対応する動作ができる状態にある。リモコンよりの信号をキャッチすると割込みにより処理中のプログラムを中断して、リモコン信号を受信処理して、図１０（Ａ）乃至（Ｆ）で説明したようなリモコンデータフォーマットの受信データを所定のメモリに格納し、その意味するところの指令に沿った動作を行なう。
【０１０４】
また、リモコンが正規なものかどうかを判別するため、認証情報認識部１１０Ａにおいて、カメラ本体１２側に記録されている固定リモコン識別情報とリモコンよりの固定リモコン識別情報１６４とを比較して判断する。更に、この固定リモコン識別情報１６４は、リモコンの認証設定スイッチ６０が認証位置６０Ｃに設定されている場合や、撮像機器が禁止モードになっていてリモコン指令のみで作動する場合にリモコンを判別するために用いる。
【０１０５】
認証機能のない普通リモコンの場合は、固定リモコン識別情報は使用しないが、許可モード及び制限モードで制限されない機能のみ使用できる。禁止モードでは使用できない。
【０１０６】
リモコンよりの指令を受けたカメラ本体１２では、主制御部１１０のＣＰＵが、以下のように、そのリモコンよりの受信データを解読した結果に対応してそれぞれの動作を行なう。
【０１０７】
即ち、リモコン５４，７０，８８の撮影指令ボタン５８が押された場合は、撮影指令フラグを立てる。このフラグは、撮影状態の場合は、プログラムで読み取られ、撮像動作の開始や終了動作を行なう。設定モードにおいては、選択項目の確定を行なう。リモコン５４，７０，８８のテレボタン６２又はワイドボタン６４が押されると、ズーム制御部１１４を駆動する。リモコン５４，８８のプラスボタン６６又はマイナスボタン６８が押されると、対応するスイッチフラグを立てる。
【０１０８】
リモコン７０の十字スイッチ７２の何れかが押されると、対応するスイッチフラグを立てる。リモコン７０のＯＫボタン７４が押されると、ＯＫボタンフラグを立てる。リモコン７０の情報ボタン８０が押されると、モニタ３４に表示中の画像の情報を表示し、再度押されると、その情報表示を中止する。リモコン７０のプリントボタン７８が押されると、モニタ３４にプリントメニューを表示し、以降所定の印刷動作を行なう。リモコン７０のメニューボタン７６が押されると、モニタ３４にメニューを表示し、十字スイッチ７２やＯＫボタン７４により設定、変更ができる。メニュー表示中に再度メニューボタン７６が押されると、メニュー動作は終了する。リモコン７０の消去ボタン８２が押されると、モニタ３４に消去の確認メニューを表示し、対応する確認のスイッチが押されると、表示中の画像の消去を実行する。リモコン７０の保護ボタン８６が押されると、モニタ３４に表示中の画像に保護フラグが付けられる。この保護フラグ付きの画像を上記消去ボタン８２操作により消去しようとすると、誤消去を防ぐための警告がモニタ３４に表示され、消去するには消去の実行を選択して消去する。保護フラグ付きの画像が表示されている状態で保護ボタン８６を押すと、保護フラグが解除される。リモコン７０の回転ボタン８４が押されると、モニタ３４に表示されている画像が右９０度回転し、再度押されると左９０度回転画像になり、もう一度押されると元の画像に戻る。
【０１０９】
リモコン８８の制限ボタン９２が押されると、リモコン８８から制限指令が発信され、撮像機器は制限モードに切り替わる。リモコン８８の禁止ボタン９６が押されると、リモコン８８から禁止指令が発信され、撮像機器は禁止モードに切り替わる。リモコン８８の設定ボタン９４が押されると、リモコン８８から設定指令が発信され、撮像機器は設定モードに切り替わる。リモコン８８の許可ボタン９８が押されると、リモコン８８から許可指令が発信され、撮像機器は許可モードに切り替わる。
【０１１０】
図１６は、認証モードの遷移を説明するための図である。電源オフの状態で（ステップＳ１０）、パワースイッチ２６がオン操作されると（ステップＳ１２）、図１３で説明した電源オン時の認証モード設定指定及びモードメモリ記憶モードを読み込み、禁止モードか否かを判断する（ステップＳ１４）。ここで、禁止モードであると判断された場合には、禁止モードＭ１になる。
【０１１１】
これに対して、上記ステップＳ１４で禁止モード以外であると判断された場合には、許可モードか否かを判断する（ステップＳ１６）。ここで、許可モードであると判断された時には、許可モードＭ４になる。
【０１１２】
上記ステップ（ステップＳ１６）において許可モードでもないと判断された時は、制限モードか否かを判断する（ステップＳ１８）。ここで、制限モードであると判断された場合は、制限モードＭ２になる。これに対して、制限モードでもないと判断された場合には、設定モードＭ３になる。
【０１１３】
各モード間の遷移は、リモコン５４，７０，８８よりのリモコン識別情報付きの認証モード切り替え指令でも切り替えることができ、図中の禁止指令、制限指令、許可指令、設定指令で示すような遷移をする。
【０１１４】
更に、カメラ本体１２単体でも何らかの使用ができる制限モードＭ２及び許可モードＭ４に切り替わった場合は、その時点からカメラ本体１２内の禁止タイマ１４０がカウントを始め（ステップＳ２０）、予め設定された時間が過ぎるとカメラ本体１２は自動的に禁止モードＭ１に切り替わり、以降はリモコン識別情報付きリモコンが無いと使用ができない。禁止モードＭ１を解除するためにはリモコン識別情報付きリモコンが必要である。禁止タイマ１４０は、カメラ本体１２の電源がオフされてもカウントを続け、予め設定された時間が過ぎると自動的に禁止モードＭ１となる。したがって、許可モードＭ４や制限モードＭ２のままカメラ本体１２を紛失しても、予め設定した時間が過ぎるとそのカメラ本体１２は使用できなくなる。設定時間は、使用者がメニューで指定でき、例えば１０分でも、１時間でも、一日でも、一週間でも良い。所有者が使用する場合でも、禁止タイマ１４０を短時間の設定にしておき許可モードＭ４で使用することで、いちいちリモコンで操作しなくてもカメラ本体１２を自由に使えて、かつ万一盗難等にあっても短時間で禁止モードＭ１になるので比較的安全である。
【０１１５】
パワースイッチ２６が再び押されて（ステップＳ２２）、電源がオフされる場合、現在の認証モードをモードメモリ１２８に保存しておく（ステップＳ２４）。そして、電源オフの状態となる（ステップＳ１０）。
【０１１６】
図１７Ａ乃至図１７Ｆは、撮像機器における状態遷移とプロセスを説明する一連のフローチャートを示している。なお、ここでは撮像機器がデジタルカメラ１０の場合を例に説明するが、デジタルムービカメラ５０の場合も、スイッチ操作等が異なること以外は同様である。
【０１１７】
まず、撮影状態を中心に説明する。電源オフの状態において（ステップＳ１０）、パワースイッチ２６が押されると（ステップＳ１２）、カメラ本体１２の電源がオンとなり、モニタ３４に初期画面が表示される（ステップＳ２６）。この初期画面には、電池残量を示すマーク等が表示される。そしてその後、図１６で説明したように、電源オン時の認証モード設定指定及びモードメモリ１２８の記憶モードを読み取り、モードにしたがって分岐する（ステップＳ２８）。
【０１１８】
ここで、許可モードＭ４又は制限モードＭ２であると判断された場合には、セレクトスイッチ３０の状態を読み取り、静止画撮影状態Ｊ１か、動画撮影状態Ｊ２か、再生状態Ｊ３かにより分岐する（ステップＳ３０）。
【０１１９】
セレクトスイッチ３０により静止画撮影状態Ｊ１が選択されている場合で制限モードの場合、モードメモリ１２８又は主制御部１１０内の不揮発性メモリに保存されている機能制限表を読んで、撮影が許可されているか否かを判断する（ステップＳ３２）。ここで、撮影が許可されていないと判断した場合は、モニタ３４に警告を表示し（ステップＳ３４）、予め設定された時間を待って、上記ステップＳ２８に戻る。
【０１２０】
これに対して、制限モードで機能制限表により撮影が許可されていると判断した場合及び許可モードの場合には、モニタ３４にライブ画像を表示し、また、現在の撮影画素数や撮影可能枚数なども表示する（ステップＳ３６）。そして、シャッタスイッチ２４の一段目がオンになるのを待って（ステップＳ３８）、それがオンになったならば、フォーカス合わせを行って（ステップＳ４０）、シャッタスイッチ２４の２段目がオンになるのを待つ（ステップＳ４２）。而して、シャッタスイッチ２４の２段目がオンになったならば、静止画を撮影する（ステップＳ４４）。その後、連写モードに設定されているか否かを確認する（ステップＳ４６）。ここで、連写モードに設定されていない場合には、短時間、撮影した画像をモニタ３４に表示した後（ステップＳ４８）、上記ステップＳ２８に戻る。
【０１２１】
これに対して、連写モードに設定されていた場合には、内蔵メモリ１０４及び／又は着脱メモリ１０６のメモリ残量が所定量以上有るか否か確認し（ステップＳ５０）、メモリ残量が無い場合は、モニタ３４にメモリフルの警告を表示して（ステップＳ５２）、上記ステップＳ２８に戻る。また、メモリ残量が有る場合には、シャッタスイッチ２４がオンのままか否かを確認し（ステップＳ５４）、オフされていれば上記ステップＳ２８に戻る。また、シャッタスイッチ２４がオンされている場合には、上記ステップＳ４４に戻り、次の静止画を撮影する。
【０１２２】
一方、上記ステップＳ３０において、セレクトスイッチ３０により動画撮影状態Ｊ２が選択されている場合で制限モード場合には、モードメモリ１２８又は主制御部１１０内の不揮発性メモリに保存されている機能制限表を読んで、撮影が許可されているか否かを判断する（ステップＳ５６）。ここで、撮影が許可されていないと判断した場合は、モニタ３４に警告を表示し（ステップＳ５８）、予め設定された時間を待って、上記ステップＳ２８に戻る。
【０１２３】
これに対して、制限モードで機能制限表により撮影が許可されていると判断した場合及び許可モードの場合には、モニタ３４にライブ画像を表示し、また、現在の撮影画素数での撮影可能時間なども表示する（ステップＳ６０）。そして、シャッタスイッチ２４が押されるとオンするシャッタスイッチフラグによりシャッタスイッチ２４がオンされたか否かを判別し（ステップＳ６２）、シャッタスイッチフラグがオンになっていないならば、上記ステップＳ６０に戻って、ライブ画像の表示を続ける。
【０１２４】
而して、シャッタスイッチフラグがオンになったならば、そのシャッタスイッチフラグをクリアした後、フォーカス合わせを行い、動画の撮影を開始する（ステップＳ６４）。この動画撮影中は、内蔵メモリ１０４及び／又は着脱メモリ１０６のメモリ残量をチェックし（ステップＳ６６）、メモリ残量が無い場合はモニタ３４にメモリフルの警告を表示した上で（ステップＳ６８）、動画撮影を終了して（ステップＳ７０）、上記ステップＳ２８に戻る。これに対して、まだメモリ残量が有る場合には、シャッタスイッチフラグがオンとなったかどうかを確認し（ステップＳ７２）、それがオフのままである場合は上記ステップＳ６４に戻って、動画の撮影を続ける。そして、上記シャッタスイッチフラグがオンになった場合は、上記ステップＳ７０に進んで動画撮影を終了して、上記ステップＳ２８に戻る。このように、シャッタスイッチ２４が押されてから再度押されるまでの間、動画が撮影される。
【０１２５】
また、上記ステップＳ３０において、セレクトスイッチ３０により再生状態Ｊ３が選択されている場合で制限モードの場合には、モードメモリ１２８又は主制御部１１０内の不揮発性メモリに保存されている機能制限表を読んで、再生が許可されているか否かを判断する（ステップＳ７４）。ここで、再生が許可されていないと判断した場合には、上記ステップＳ３４に進んでモニタ３４に警告を表示し、予め設定された時間を待って、上記ステップＳ２８に戻る。
【０１２６】
これに対して、制限モードで再生が許可されている場合及び許可モードの場合には、図１７Ｂに示すような再生状態に移行する。即ち、先ず内蔵メモリ１０４及び着脱メモリ１０６の内、最後に記録した最終画像をモニタ３４に表示する（ステップＳ７６）。次に、スイッチやボタン類が押されたかどうかをチェックし、押された場合で制限モードＭ２の場合は機能制限表により制限機能か否かをチェックする（ステップＳ７８）。そして、制限機能であると判断した場合には（ステップＳ８０）、そのスイッチやボタン類の押下は無視して上記ステップＳ７６に戻る。
【０１２７】
これに対して、当該スイッチ又はボタンが制限機能で無い場合或いは許可モードである場合には、以下のように該当する動作を行なう。操作はカメラ本体１２のスイッチやボタンとリモコン５４，７０，８８からの操作指令の双方で可能である。
【０１２８】
即ち、十字スイッチ３６又は７２が押された場合（ステップＳ８２）、その内の下スイッチ（アルバム）であれば（ステップＳ８４）、アルバムに記録されている画像のモニタ３４への表示を行う（ステップＳ８６）。そして、その表示中にメニューボタン４０又は７６が押されると（ステップＳ８８）、アルバム表示機能を終了して、上記ステップＳ７８に戻る。なお、アルバムとは、あるイベントに関する画像群を纏めて取り扱えるように、画像群とは別にインデックス情報を持って、そこに画像へのアクセスポインタを書いておき、アルバム名を指定すると一連の画像が一括して表示等できる機能のことである。
【０１２９】
また、十字スイッチ３６又は７２の内の上スイッチ（カレンダ）が押された場合には（ステップＳ９０）、当月一か月分の記録画像をカレンダ形式でモニタ３４に表示する（ステップＳ９２）。更に十字スイッチ３６又は７２で、前月以前の表示を行なったり、日にちを選択してその日の撮影画像を表示することなどもできる。表示中にメニューボタン４０又は７６が押されると（ステップＳ９４）、カレンダ表示機能を終了して、上記ステップＳ７８に戻る。
【０１３０】
また、十字スイッチ３６又は７２の内の右スイッチ（＋）が押された場合には（ステップＳ９６）、次の画像を表示した後（ステップＳ９８）、上記ステップＳ７８に戻る。なお、現在の画像が最終画像の場合は、最初の画像を表示する。また、十字スイッチ３６又は７２の内の左スイッチ（−）が押された場合には（ステップＳ１００）、前の画像を表示した後（ステップＳ１０２）、上記ステップＳ７８に戻る。なお、現在の画像が最初画像の場合は、最後の画像を表示する。
【０１３１】
ＯＫボタン３８又は７４が押された場合には（ステップＳ１０４）、現在の画像が動画であるか否かを確認し（ステップＳ１０６）、動画でない場合には、そのＯＫボタン３８又は７４の押下は無視して、上記ステップＳ７８に戻る。これに対して、現在の画像が動画である場合には、動画を表示して（ステップＳ１０８）、上記ステップＳ７８に戻る。
【０１３２】
ズームスイッチ４２が押された場合には（ステップＳ１１０）、Ｔボタンであれば（ステップＳ１１２）、表示されている画像を拡大表示して（ステップＳ１１４）、上記ステップＳ７８に戻る。拡大表示中にＷボタンを押すと、画像の一駒表示に戻る。また、Ｗボタンの場合には（ステップＳ１１６）、表示画像を縮小してインデックス表示をして（ステップＳ１１８）、上記ステップＳ７８に戻る。Ｗボタンを押すたびに、４駒、９駒、１６駒、２５駒に順次一覧表示ができる。縮小一覧表示中にＴボタンを押すと、押すたびに２５駒、１６駒、９駒、４駒、１駒の表示に戻る。なお、リモコン５４，７０，８８のテレボタン６２やワイドボタン６４が押された場合は、これらズームスイッチ４２のＴボタンやＷボタンが押された場合と同様である。
【０１３３】
消去ボタン４４又は８２が押された場合には（ステップＳ１２０）、モニタ３４に本当に消去するかの確認表示を行い（ステップＳ１２２）、消去中止が選択された場合は消去せずに、上記ステップＳ７８に戻る。これに対して、消去実行が選択された場合には、その駒を消去して、一つ前の画像を表示して（ステップＳ１２４）、上記ステップＳ７８に戻る。なお、消去対象の画像が保護されている場合は、保護画像であることをモニタ３４に警告表示して、消去の実行は無視される。
【０１３４】
プリントボタン４６又は７８が押された場合には（ステップＳ１２６）、プリンタへの画像送信等の必要な印刷動作を行なって（ステップＳ１２８）、上記ステップＳ７８に戻る。
【０１３５】
情報ボタン８０が押された場合には（ステップＳ１３０）、モニタ３４に画像の付帯情報を表示して（ステップＳ１３２）、上記ステップＳ７８に戻る。
【０１３６】
保護ボタン８６が押された場合には（ステップＳ１３４）、画像に保護フラグをつけて（ステップＳ１３６）、上記ステップＳ７８に戻る。
【０１３７】
回転ボタン８４が押された場合には（ステップＳ１３８）、モニタ３４に表示されている画像を右９０度回転させ（ステップＳ１４０）、上記ステップＳ７８に戻る。再度押されると、左９０度回転画像になり、もう一度押されると元の画像に戻る。
【０１３８】
メニューボタン７６が押された場合には（ステップＳ１４２）、メニューの表示と設定ができる。メニュー機能は多数あり、上述した静止画撮影状態Ｊ１及び動画撮影状態Ｊ２でも、下記説明と同様の方法で設定、変更ができる。
【０１３９】
メニュー設定は、トップメニューから階層的に細部の設定が出来る様になっている。トップメニューは、セレクトスイッチ３０の位置によって表示内容が異なるので、セレクトスイッチ３０の位置を読み取り（ステップＳ１４４）、対応するメニューをモニタ３４に表示する（ステップＳ１４６）。
【０１４０】
静止画撮影状態Ｊ１の場合、ＶＯＩＣＥ録音、マクロ、シーン選択、モードメニューを表示する。動画撮影状態Ｊ２の場合、ＶＯＩＣＥ録音、マクロ、手振れ補正、モードメニューを表示する。再生状態Ｊ３の場合は、再生内容により表示されるメニューが異なる。即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。
【０１４１】
即ち、モードメニューは更にセレクトスイッチ３０の位置により表示内容が異なる。静止画撮影状態Ｊ１の場合、画質モード切り替え、連写設定、露出補正、デジタルズーム設定、ホワイトバランス設定、画像等を記録するメモリの選択の設定等ができる。動画撮影状態Ｊ２の場合、画質モード切り替え、露出補正、デジタルズーム設定、ホワイトバランス設定、フルタイムオートフォーカスの設定、画像等を記録するメモリの選択の設定等ができる。再生状態Ｊ３の場合は、回転表示、録音、画像編集、画像補正、画像合成ができる。
【０１４２】
メニュー操作を終了するにはメニューボタン７６を再度押すことで（ステップＳ１４８）、上記ステップＳ７８に戻る。
【０１４３】
また、上記ステップＳ２８において、禁止モードＭ１であると判断された場合には、図１７Ｃに示すような禁止モードの動作に移行する。即ち、先ず、リモコンからの指令機器情報を待ち受け（ステップＳ１５０）、指令機器であるリモコンよりの指令機器情報を判断して、動作を選択する（ステップＳ１５２）。
【０１４４】
指令機器情報が認証モード設定・変更に関する認証モード切り替え指令であった場合には（ステップＳ１５４）、以下の動作を行なう。なお、禁止モード以外の認証モードにおいて、認証モード切り替え指令を受信した場合にも、割り込みによって、以下の動作を行う。
【０１４５】
即ち、認証モード切り替え指令が禁止指令の場合には（ステップＳ１５６）、モニタ３４へ禁止モード設定の確認表示を行い、リモコンより指令機器情報として撮影実行指令が送られてきたならば確定と判断して（ステップＳ１５８）、禁止モードＭ１を設定して（ステップＳ１６０）、上記ステップＳ１５０に戻る。なお、上記ステップＳ１５８の確認画面は、リモコンボタンへのミスタッチの防止や認証モードの切り替えという重要な機能なので確認のために入れてあるが、省略しても良い。
【０１４６】
認証モード切り替え指令が制限指令の場合には（ステップＳ１６２）、モニタ３４へ制限モード設定の確認表示を行い、リモコンより指令機器情報として撮影実行指令が送られてきたならば確定と判断して（ステップＳ１６４）、制限モードＭ２を設定して（ステップＳ１６６）、上記ステップＳ２８に戻る。なお、上記ステップＳ１６４の確認画面は、リモコンボタンへのミスタッチの防止や認証モードの切り替えという重要な機能なので確認のために入れてあるが、省略しても良い。
【０１４７】
認証モード切り替え指令が設定指令の場合には（ステップＳ１６８）、モニタ３４へ設定モード設定の確認表示を行い、リモコンより指令機器情報として撮影実行指令が送られてきたならば確定と判断して（ステップＳ１７０）、上記制限表のモニタ３４への表示や変更処理を行なう（ステップＳ１７２）。なお、上記ステップＳ１７０の確認画面は、リモコンボタンへのミスタッチの防止や認証モードの切り替えという重要な機能なので確認のために入れてあるが、省略しても良い。また、上記ステップＳ１７２の制限表の表示・変更処理では、図１４の機能制限表の機能と制限フラグの状態をモニタ３４に表示して、リモコンのプラス、マイナスボタン６６、６８と、テレ、ワイドボタン６２、６４、あるいは十字スイッチ７２とＯＫボタン７４等を使って、制限機能の巡回選択とフラグのオン、オフの設定及び変更を行なう。而して、設定変更が終わったならば撮影指令ボタン５８が押されるので、撮影実行指令が送られてきたならば、その内容を確定し（ステップＳ１７４）、上記ステップＳ２８に戻る。
【０１４８】
認証モード切り替え指令が許可指令の場合には（ステップＳ１７６）、モニタ３４へ許可モード設定の確認表示を行い、リモコンより指令機器情報として撮影実行指令が送られてきたならば確定と判断して（ステップＳ１７８）、許可モードＭ４を設定して（ステップＳ１８０）、上記ステップＳ２８に戻る。なお、上記ステップＳ１７８の確認画面は、リモコンボタンへのミスタッチの防止や認証モードの切り替えという重要な機能なので確認のために入れてあるが、省略しても良い。
【０１４９】
また、指令機器情報が撮影・再生に関する撮影指令であった場合には（ステップＳ１８２）、セレクトスイッチ３０の状態を読み取り（ステップＳ１８４）、対応する動作を行なう。即ち、セレクトスイッチ３０により静止画撮影状態Ｊ１となっている場合（ステップＳ１８６）、あるいは、動画撮影状態Ｊ２となっている場合には（ステップＳ１８８）、図１７Ｄに示すような、禁止モードＭ１におけるリモコン操作による撮像動作に移行する。また、セレクトスイッチ３０により再生状態Ｊ３となっている場合には（ステップＳ１９０）、図１７Ｅに示すような、禁止モードＭ１におけるリモコン操作による再生動作に移行する。
【０１５０】
静止画撮影状態Ｊ１では、モニタ３４にライブ画像を表示し（ステップＳ１９２）、上記ステップＳ１５０で受けたリモコンよりの撮影指令が撮影実行指令か否かを判断する（ステップＳ１９４）。ここで、撮影指令が撮影実行指令であると判断した場合には、フォーカス合わせを行って（ステップＳ１９６）、静止画を撮影する（ステップＳ１９８）。その後、連写モードに設定されているか否かを判断する（ステップＳ２００）。ここで、連写モードに設定されていない場合には、短時間、撮影済み画像をモニタ３４に表示した後（ステップＳ２０２）、上記ステップＳ１５０に戻る。
【０１５１】
これに対して、連写モードに設定されていた場合には、内蔵メモリ１０４及び／又は着脱メモリ１０６のメモリ残量が所定量以上有るか否か確認する（ステップＳ２０４）。そして、メモリ残量が無い場合は、モニタ３４にメモリフルの警告を表示して（ステップＳ２０６）、上記ステップＳ１５０に戻る。また、メモリ残量が有る場合には、撮影実行指令が来ているかを確認し（ステップＳ２０８）、来ていない場合には上記ステップＳ１５０に戻る。また、撮影実行指令が来ている場合には、上記ステップＳ１９８に戻り、次の画像を撮影する。
【０１５２】
また、上記ステップＳ１９４において、受信した撮影指令が撮影実行指令ではないと判断された場合には、撮影指令が、テレボタン６２が押されたことによるＴボタン指令であるか否かを判断する（ステップＳ２１０）。ここで、Ｔボタン指令であると判断した場合には、そのＴボタン指令が来ている間、レンズ部１４を望遠側に駆動し（ステップＳ２１２）、Ｔボタン指令が途切れたならば、その駆動を中止して、上記ステップＳ１５０に戻る。
【０１５３】
また、上記ステップＳ２１０で、Ｔボタン指令を受けたのではないと判断した場合には、撮影指令が、ワイドボタン６４が押されたことによるＷボタン指令であるか否かを判断する（ステップＳ２１４）。ここで、Ｗボタン指令であると判断した場合には、そのＷボタン指令が来ている間、レンズ部１４を広角側に駆動し（ステップＳ２１６）、Ｗボタン指令が途切れたならば、その駆動を中止して、上記ステップＳ１５０に戻る。また、上記ステップＳ２１４で、Ｗボタン指令でもないと判断した場合には、上記ステップＳ１５０に戻る。
【０１５４】
一方、動画撮影状態Ｊ２では、モニタ３４にライブ画像を表示し（ステップＳ２１８）、撮影指令ボタン５８が押されたことによる撮影実行指令の受信に応じてオンする撮影実行指令フラグがオンか否かを判断する（ステップＳ２２０）。そして、その撮影実行指令フラグがオンしていると判断した場合には、動画撮影中か否かを判断すると共に、撮影実行指令フラグをクリアする（ステップＳ２２２）。ここで、動画撮影中でないと判断した場合には、フォーカスを合わせて、動画撮影を開始する（ステップＳ２２４）。そして、内蔵メモリ１０４及び／又は着脱メモリ１０６のメモリ残量を確認し（ステップＳ２２６）、メモリ残量が無い場合は、モニタ３４にメモリフルの警告を表示した上で（ステップＳ２２８）、動画撮影を終了して（ステップＳ２３０）、上記ステップＳ１５０に戻る。これに対して、メモリ残量が有る場合には上記ステップＳ２２４に戻って、引き続き動画撮影を行う。また、上記ステップＳ２２２で、動画撮影中であると判断した場合には、上記ステップＳ２３０に進んで撮影を終了し、上記ステップＳ１５０に戻る。
【０１５５】
また、上記ステップＳ２２０で、撮影実行指令フラグがオンしていないと判断した場合には、上記ステップＳ２１０に進んでＴボタン指令か否かを判断する。そして、上述したように、Ｔボタン指令の場合は、そのＴボタン指令が来ている間、レンズ部１４を望遠側に駆動し（ステップＳ２１２）、Ｔボタン指令が途切れたら駆動を中止して、上記ステップＳ１５０に戻る。また、上記ステップＳ２１０でＴボタン指令でないと判断した場合には、Ｗボタン指令か否かを判断して（ステップＳ２１４）、Ｗボタン指令の場合は、そのＷボタン指令が来ている間、レンズ部１４を広角側に駆動し（ステップＳ２１６）、Ｗボタン指令が途切れたら駆動を中止して、上記ステップＳ１５０に戻る。また、Ｗボタン指令でない場合は、上記ステップＳ１５０に戻る。
【０１５６】
このように、動画撮影中は、撮影実行指令やＴ、Ｗボタン指令の受信による割り込みで、動画撮影を終了したり、ズーム動作を行ったりすることができる。
【０１５７】
また、動画については、例えば１５秒というように、予め記録時間を限定しておき、その秒数に対応するメモリ量により上記ステップＳ２２６のメモリ残量の判別を行うことで、自動的に動画撮影を終了させることもできる。
【０１５８】
一方、再生状態Ｊ３では、内蔵メモリ１０４又は着脱メモリ１０６に記録されている最終画像をモニタ３４に表示し、リモコン５４，７０，８８のスイッチやボタン類に対応する動作を行なう。
【０１５９】
即ち、図１７Ｅに示すように、上記ステップＳ１５０で受けたリモコンよりの指令機器情報が十字スイッチ７２の操作指令であった場合（ステップＳ２３２）、それが十字スイッチ７２の下方向スイッチ操作による下操作指令（アルバム）であったならば（ステップＳ２３４）、モニタ３４へのアルバムに記録されている画像の表示を行う（ステップＳ２３６）。そして、この表示中にメニューボタン７６が押されると（ステップＳ２３８）、アルバム表示機能を終了し、上記ステップＳ１５０に戻る。
【０１６０】
また、十字スイッチ７２の上方向スイッチ操作による上操作指令（カレンダ）であった場合には（ステップＳ２４０）、当月一か月分の記録画像をカレンダ形式でモニタ３４に表示する（ステップＳ２４２）。更に十字スイッチ７２で前月以前の表示を行なったり、日にちを選択してその日の撮影画像を表示したりすることなどもできる。そして、この表示中にメニューボタン７６が押されると（ステップＳ２４４）、カレンダ表示機能を終了し、上記ステップＳ１５０に戻る。
【０１６１】
また、十字スイッチ７２の右方向スイッチ操作による右操作指令であった場合には（ステップＳ２４６）、モニタ３４に次の画像を表示して（ステップＳ２４８）、上記ステップＳ１５０に戻る。なお、現在の画像が最終画像の場合にこの右方向スイッチが操作されたときには、最初の画像を表示する。
【０１６２】
また、十字スイッチ７２の左方向スイッチ操作による左操作指令であった場合には（ステップＳ２５０）、前の画像をモニタ３４に表示して（ステップＳ２５２）、上記ステップＳ１５０に戻る。なお、現在の画像が最初の画像の場合にこの左方向スイッチが操作されたときには、最後の画像を表示する。
【０１６３】
また、上記ステップＳ１５０で受けたリモコンよりの撮影指令がＯＫボタン７４の操作によるＯＫ指令であった場合には（ステップＳ２５４）、現在の画像が動画であるか否かを確認して（ステップＳ２５６）、動画でない場合には無視して、上記ステップＳ１５０に戻る。これに対して、動画であった場合には、その動画を表示して（ステップＳ２５８）、上記ステップＳ１５０に戻る。
【０１６４】
また、上記ステップＳ１５０で受けたリモコンよりの撮影指令がテレボタン６２の操作によるＴボタン指令であった場合には（ステップＳ２６０）、モニタ３４に表示されている画像を拡大表示して（ステップＳ２６２）、上記ステップＳ１５０に戻る。なお、拡大表示中に、ワイドボタン６４を押すと画像の一駒表示に戻る。
【０１６５】
また、上記ステップＳ１５０で受けたリモコンよりの撮影指令がワイドボタン６４の操作によるＷボタン指令であった場合には（ステップＳ２６４）、モニタ３４の表示画像を縮小してインデックス形式の表示をして（ステップＳ２６６）、上記ステップＳ１５０に戻る。なお、ワイドボタン６４を押すたびに、４駒、９駒、１６駒、２５駒に順次一覧表できる。また、縮小一覧表示中にテレボタン６２を押すと押すたびに、２５駒、１６駒、９駒、４駒、１駒の表示に戻る。
【０１６６】
また、上記ステップＳ１５０で受けたリモコンよりの撮影指令が消去ボタン８２の操作による消去指令であった場合には（ステップＳ２６８）、本当に消去するかの確認表示をモニタ３４に行い（ステップＳ２７０）、消去中止が選択された場合は消去せずに上記ステップＳ１５０に戻る。これに対して、消去実行が選択された場合には、その駒を消去して、一つ前の画像を表示して（ステップＳ２７２）、上記ステップＳ１５０に戻る。なお、消去対象の画像が保護されている場合は、保護画像であることをモニタ３４に警告表示して、消去の実行は無視される。
【０１６７】
また、上記ステップＳ１５０で受けたリモコンよりの撮影指令がプリントボタン７８の操作による印刷指令であった場合には（ステップＳ２７４）、プリンタへの画像送信等の必要な印刷動作を行なって（ステップＳ２７６）、上記ステップＳ１５０に戻る。
【０１６８】
また、上記ステップＳ１５０で受けたリモコンよりの撮影指令が情報ボタン８０の操作による情報表示指令であった場合には（ステップＳ２７８）、モニタ３４に表示されている画像の情報を表示して（ステップＳ２８０）、上記ステップＳ１５０に戻る。
【０１６９】
また、上記ステップＳ１５０で受けたリモコンよりの撮影指令が保護ボタン８６の操作による保護指令であった場合には（ステップＳ２８２）、モニタ３４に表示されている画像に保護フラグを付けて（ステップＳ２８４）、上記ステップＳ１５０に戻る。
【０１７０】
また、上記ステップＳ１５０で受けたリモコンよりの撮影指令が回転ボタン８４の操作による回転指令であった場合には（ステップＳ２８６）、モニタ３４に表示されている画像を右９０度回転させて（ステップＳ２８８）、上記ステップＳ１５０に戻る。なお、再度、回転ボタン８４が押されると左９０度回転画像になり、もう一度押されると元の画像に戻る。
【０１７１】
また、上記ステップＳ１５０で受けたリモコンよりの撮影指令がメニューボタン７６の操作によるメニュー指令であった場合には（ステップＳ２９０）、メニューの表示と設定ができる。メニュー設定はトップメニューから階層的に細部の設定が出来る。この場合、再生状態Ｊ３であるので、対応するトップメニューをモニタ３４に表示する（ステップＳ２９２）。但し、再生内容により表示されるメニューが異なる。
【０１７２】
即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。モードメニューでは、回転表示、録音、画像編集、画像補正、画像合成ができる。メニュー操作を終了するには、メニューボタン７６を再度押すことで（ステップＳ２９４）、上記ステップＳ１５０に戻る。
【０１７３】
一方、上記ステップＳ２８において、設定モードＭ３であると判断された場合には、図１７Ｆに示すような、設定モードに移行する。即ち、設定モードでは、図１４の機能制限表の機能と制限フラグの状態をモニタ３４に表示して、リモコンのプラス、マイナスボタン６６、６８とテレ、ワイドボタン６２、６４、あるいは十字スイッチ７２とＯＫボタン７４等を使って、制限機能の巡回選択とフラグのオン、オフの設定及び変更を行なう（ステップＳ２９６）。そして、設定変更が終わったならば、撮影指令ボタン５８が押されるので、その撮影実行指令を受けたならば内容を確定して（ステップＳ２９８）、上記ステップＳ２８に戻って、認証モード読み取りを行うことになる。
【０１７４】
以上のように、本発明の第１実施形態によれば、カメラ本体１２とは別のリモコン５４，７０，８８に認証情報を持ち、カメラ本体１２に認証情報を設定することにより、万一カメラ本体１２を紛失した場合でも、リモコン５４，７０，８８からの認証情報が来なければ、撮影済みの画像の再生等の所定の機能が制限され、セキュリティを確保することが可能である。
【０１７５】
また、小型のリモコン５４，７０，８８を撮像用と認証用に兼用することで、携行に負担が少なく操作も容易なセキュリティシステムを実現できる。
【０１７６】
また、認証設定スイッチ６０によりリモコン５４，７０，８８のスイッチやボタンの機能を切り替えることができ、スイッチやボタンの数を減らして、小型化することができる。
【０１７７】
また、カメラ本体１２を電源投入時に禁止モードＭ１に設定するようにすれば、リモコン５４，７０，８８を持っていてリモコン５４，７０，８８で指令するか、リモコン５４，７０，８８で他の認証モードに切り替えない限り、カメラ本体１２単独では使用できない、即ちカメラ本体１２に鍵が掛かった状態にすることができる。
【０１７８】
あるいは、電源断時に、その時設定されている認証モードを保存しておくようにすることもできる。この場合、その認証モードを不揮発性に記憶すれば、保持し続けることが可能となる。そして、当該カメラ本体１２の電源投入時には、上記記憶されている認証モードを読み出して、その認証モードに設定するようにすれば、前回の認証モードで起動することが可能となる。
【０１７９】
また、認証モードをリモコン５４，７０，８８からしか変更できないようにすることで、リモコン５４，７０，８８を持たない第三者に認証モードを変更されて、撮影済みの画像の再生等が行われてしまうおそれがない。
【０１８０】
また、カメラ本体１２は禁止タイマ１４０により禁止モードＭ１を設定することができるので、カメラ本体１２が万一盗難等にあっても、比較的安全である。この場合、電源がオフされた後も計時が継続されて、所定時間で禁止モードに設定されるようすれば、ユーザは電源断時にいちいち認証モードを切り替える必要がない。更に、電池が消耗あるいは取り外された場合、バックアップ用の電池あるいはキャパシタの有無等も考慮して、直ちにあるいは予め設定された時間後、あるいは電圧監視の結果により、禁止モードＭ１を設定するようにすることで、故意あるいは過失により電池１３８が抜き取られたまま、あるいは消耗したまま放置されてバックアップ用の電池あるいはキャパシタの電気も消耗してしまい禁止タイマ１４０がカウントできなくなって、予め設定した時間が経過しても禁止モードを設定することができなくなってしまい、当該デジタルカメラ１０が使用できてしまうようなことを防止できる。
【０１８１】
また、指令機器情報は光又は電波で送受信するので、カメラ本体１２とリモコン５４，７０，８８とを接続するケーブル等を携帯する必要がない。
【０１８２】
なお、それぞれ異なる機能の撮影指令を送信する複数種類のリモコン５４，７０，８８を利用可能であるので、ユーザは所望の機能の撮影指令を送信できるリモコンを使用することができる。更に、再生等プライバシにかかわる機能の実行にはリモコン５４，７０，８８のように認証情報を送信できる認証機能付きリモコンであることが必要であるが、撮影行為自体にはプライバシ保護は必要がないので、認証情報を送信しない撮影に関する機能のみ指令できる別のリモコン（図示せず）を用いて撮影を行うことができる。よって、旅行等にはその撮影機能に絞ったリモコンを携行し、認証機能付きリモコンは自宅に置いてくれば、撮影は自由に行え、そして、たとえ旅行先でカメラ本体１２とリモコンを紛失したり盗難にあっても、認証機能付きリモコンは自宅に有り、当該カメラ本体１２を入手した第三者はそれを有していないので、撮影した画像のセキュリティを守ることができる。
【０１８３】
［第２実施形態］
次に、本発明の第２実施形態を説明する。
【０１８４】
撮影した画像を標準化されたフォーマットで着脱メモリ１０６に記録した場合に、たとえカメラ本体１２が禁止モードＭ１になっていてカメラ本体１２が使えなくても、着脱メモリ１０６をカメラ本体１２から抜いて他の機器で再生すると、情報は漏れてしまう。そこで、本実施形態は、禁止モードＭ１で撮影した画像は、内蔵メモリ１０４にのみ記録することにより、カメラ本体１２が禁止モードＭ１である限り、認証機能付きリモコンが無いと画像の再生等はできなくするものである。
【０１８５】
具体的には、上記第１実施形態における上記ステップＳ１９８における静止画撮影での画像記録及び上記ステップＳ２０４におけるメモリ残有のチェックは、内蔵メモリ１０４に対してのみ行なう。また、上記ステップＳ２２４における動画撮影及び上記ステップＳ２２６におけるメモリ残有のチェックは、内蔵メモリ１０４にのみ行なう。また、内蔵メモリ１０４に記録されている画像を着脱メモリ１０６にメニュー機能（上記ステップＳ２９４）を使ってコピー又は移動する場合は、暗号化・復号化回路１２２あるいは主制御部１１０とプログラムで暗号化しておく。暗号化されて着脱メモリ１０６に記録された画像を内蔵メモリ１０４に戻す場合や、カメラ本体１２で再生する場合には、暗号化・復号化回路１２２あるいは主制御部１１０とプログラムで復号化する。
【０１８６】
また、制限モードＭ２あるいは許可モードＭ４で撮影した画像であっても、秘匿しておきたい画像もある。あるいはカメラ本体１２の所有者が禁止タイマ１４０の時間を短く設定しておき、制限モードＭ２あるいは許可モードＭ４で撮影し、禁止モードＭ１になった後は認証機能付きリモコンが無いと画像再生ができないように、取り外せる着脱メモリ１０６ではなく、内蔵メモリ１０４にのみ撮影画像を記録しておくことで、着脱メモリ１０６の取り外しによる画像の流失を防ぐことができる。
【０１８７】
具体的には、メニューの設定項目の一つとして、画像の記録先の指定メニューを設け、内蔵メモリ１０４のみ、着脱メモリ１０６のみ、内蔵メモリ１０４と着脱メモリ１０６の双方に記録が可能でどちらを優先させるか指定し、片方が一杯になった時は他方に記録する、などを指定する。
【０１８８】
なお、より安全な記録を行なうために、この記録選択のメニューは禁止モードＭ１での再生状態のメニュー（上記ステップＳ２９４）でのみ、設定できるようにしても良い。
【０１８９】
以上のように、本発明の第２実施形態によれば、カメラ本体１２が禁止モードＭ１の場合に撮影した画像は、内蔵メモリ１０４に記憶されるので、他の機器で読み出すことができず、また、カメラ本体１２が禁止モードＭ１である限り、認証機能付きリモコン５４，７０，８８が無いと画像の再生、コピー、移動、印刷などはできなくすることができる。更に、内蔵メモリ１０４の画像を着脱メモリ１０６に移動する場合は、暗号化して記憶することで、着脱メモリ１０６の画像に対してもセキュリティを持たせることが可能になる。また、ユーザが、撮影画像を内蔵メモリ１０４に記録するか、着脱メモリ１０６に記録するか選択することができる。
【０１９０】
［第３実施形態］
次に、本発明の第３実施形態を説明する。
【０１９１】
本第３実施形態は、撮影した画像に認証モード情報を付加して記憶するようにしたものである。
【０１９２】
図１８は、撮影した画像に認証モード情報を付加する場合の例として、Ｅｘｉｆ（Exchangeable image file format：社団法人電子情報技術産業協会規格）の例を示す図である。Ｅｘｉｆフォーマットの場合、一つの画像ファイルとしては、大きく分けて、ヘッダ１６６と、縮小画像であるサムネイル１６８と、画像データ１７０とが記録される。
【０１９３】
ヘッダ１６６の内容は色々あるが、画像の幅などの画素構成に関する情報、画像圧縮の種類など圧縮に関する情報、撮影日時、機種名、露出時間など撮影条件に関する情報、色空間などの情報、ＧＰＳ関連情報、その他の情報がある。本実施形態では、このヘッダ１６６に、更に認証モード情報を記録する。
【０１９４】
認証モードは、上記第１実施形態で説明したように４つあるが、設定モードは画像記録には関与しないので、許可モードＭ４、制限モードＭ２、禁止モードＭ１の３種類が識別できれば良く、情報としては２ビット、あるいは３文字あれば足りる。具体的には、Ｅｘｉｆ  ＩＦＤ  タグ３７５１０のユーザコメント、タグ３７５００のメーカノート、タグ２７０の画像タイトルなどに認証モードの種類を記録しておき、画像読み出しの際に認証モード情報を確認して表示等をするかどうかの判断を行なうことができる。
【０１９５】
なお、認証モード情報の付加には、以下に示すような手法も考えられる。
【０１９６】
図１９（Ａ）は、アルバム形式で画像群を保存する場合の、アルバムインデックスの例を示す図である。ここでは、アルバムインデックス１７２Ａ、１７２Ｂ、１７２Ｃの３つを示している。個々の画像ファイルはＪＰＥＧ（Joint Photographic Expert Group）規格のフォーマットで記録されており、画像管理をアルバム形式で行なう場合である。あるイベントに関する画像ファイル群を纏めて取り扱えるように、画像ファイル群とは別にインデックス情報を持って、そこに画像ファイルへのアクセスポインタを書いておき、アルバム名を指定すると一連の画像が一括して表示等できる。アルバムインデックス１７２Ａの場合は、１０１．ｊｐｇ、１０２．ｊｐｇ、１０４．ｊｐｇ、１０８．ｊｐｇの４つの画像ファイルが登録されており、このアルバムインデックス１７２Ａを指定すると、それら４つの画像ファイルが連続して取り出せる。このアルバムインデックス１７２Ａ〜１７２Ｃのポインタに認証モード情報を付加することにより、画像読み出しの際に認証モードを確認して、表示等をするかどうかの判断を行なうことができる。
【０１９７】
また、図１９（Ｂ）に示すように、個々の画像ファイル１７４そのものの付属データとして認証モード情報を記録しておいても良い。
【０１９８】
図２０（Ａ）は、画像に認証モード情報を埋め込む場合の例を示す図である。埋め込む情報は上記のように３種類であるので、画像１７６の画素のＬＳＢ（最下位ビット）２ビットあれば足りるので、余り目立たない角に透かし１７８を埋め込む。即ち、図２０（Ｂ）に示すように、２画素のＬＳＢに「０１」、「１０」、「１１」のようにそれぞれ許可モードＭ４、制限モードＭ２、禁止モードＭ１に対応して記録しておく。画像読み出しの際には、この透かし１７８によって認証モードを確認して、表示等をするかどうかの判断を行なうことができる。
【０１９９】
また、認証モードを画像の表示の際に目視でも確認できるように、図２０（Ａ）に示すように画像の一部に、「Ａ」のような認証モード識別記号１８０を記録しても良い。この場合は、画像１７６中の特定の場所に記録されている文字情報を認識するプログラムを実装しておき、認証モードを判定する。
【０２００】
以上のように、本発明の第３実施形態によれば、撮影した画像に認証モード情報を付加して記憶することで、画像読み出しの際に、その認証モード情報を確認して表示等をするかどうかの判断を行なうことができる。この場合、再生する画像に認証モード情報が付加されていたとき、それがカメラ本体１２の現在の認証モードと同じ認証モードを示す認証モード情報であれば、再生する。
【０２０１】
［第４実施形態］
次に、本発明の第４実施形態を説明する。
【０２０２】
本実施形態は、認証情報として、固定リモコン識別情報とは別に、可変リモコン識別情報を用いるものである。
【０２０３】
図２１（Ａ）に示すように、本実施形態においては、リモコン５４，７０，８８の制御部１４２は、内部に、可変リモコン識別情報の発生手段として、乱数発生部１８２あるいはデータ表１８４を備える。
【０２０４】
ここで、乱数発生部１８２は、制御部１４２のＣＰＵで混合合同法あるいは線形合同法などの乱数発生プログラムによって乱数を発生するものであっても良いし、シフトレジスタとエクシクルーシブオア回路の組合わせなどのロジック回路で疑似乱数を発生させても良い。
【０２０５】
図２１（Ｂ）は、データ表１８４の例を示す図であり、１００個の２桁数値の乱数表である。
【０２０６】
この様に、固定リモコン識別情報とは別に、可変リモコン識別情報を用いることにより、過去のリモコンからの指令機器情報の盗聴等によるリモコンの複製に対する安全性を高めることができる。
【０２０７】
この可変リモコン識別情報は、固定リモコン識別情報と併せて用いても良いし単独で用いても良い。
【０２０８】
例えば、図２２（Ａ）乃至（Ｃ）は、図１０（Ｄ）乃至（Ｆ）における固定リモコン識別情報１６４の代わりに独立した可変リモコン識別情報１８６を付加した場合のリモコン５４，７０，８８からの送信データ信号のデータフォーマットを示す図である。これらの図に示すように、リモコン制御部１４２で発生した乱数あるいはデータ表１８４から選んだ値を可変リモコン識別情報１８６として付加して発信することができる。勿論、そのように独立した可変リモコン識別情報１８６を付加するのではなく、データ部１５８又はヘッダ１６０の一部に含めて送信することもできる（後者の場合、デーフォーマットは図１０（Ａ）乃至（Ｃ）に示すものとなる）。
【０２０９】
次に、この可変リモコン識別情報１８６の使い方を説明する。カメラ本体１２が禁止モードＭ１になった時、カメラ本体１２の操作はリモコン５４，７０，８８よりの指令でのみできる。このリモコンの指令の安全性を高めるために、リモコン５４，７０，８８よりの指令に可変リモコン識別情報１８６を付加して、その情報が一致するリモコン５４，７０，８８の指令のみ受け付けるようにする。リモコン５４，７０，８８より禁止指令を送信する場合に、乱数発生部１８２で発生させた乱数あるいはデータ表１８４から選んだ値を付けて送信する。カメラ本体は、禁止モードＭ１に移行する際に、この乱数あるいは値を記憶する。これ以降、リモコン５４，７０，８８からカメラ本体１２に禁止指令以外の指令を送る際はこの乱数あるいは値を付けて送り、カメラ本体１２ではこの乱数あるいは値と記憶値との一致を取り、一致した時のみその指令を実行する。リモコン５４，７０，８８から禁止モードＭ１以外のモード設定、すなわち許可モードＭ４、制限モードＭ２、設定モードＭ３への切り替え指令（許可指令、制限指令、設定指令）が来た場合は、記憶値を消去する。
【０２１０】
リモコン５４，７０，８８が禁止指令を新たに発信する場合は、新たに発生させた乱数発生部１８２で発生させた次の乱数あるいはデータ表１８４から選んだ次の値を付けて送信し、カメラ本体１２に記憶させ、一致を取って指令を実行する。
【０２１１】
図２３は、カメラ本体１２のパワーオン時の可変リモコン識別情報要求と設定について説明する図である。
【０２１２】
カメラの電源オン時には、図１３に示した認証モード設定指定及びモードメモリ１２８に記憶されているモードに設定される。この場合に禁止モードＭ１が設定されると、カメラ本体１２側ではリモコン５４，７０，８８の可変リモコン識別情報１８６は得られていない。そこで、電源オン時にカメラ本体１２側で禁止モードＭ１に切り替えた場合、即ち上記ステップＳ１２あるいはステップＳ２８において禁止モードＭ１を設定する場合、カメラ本体１２のモニタ３４に可変リモコン識別情報送信要求を表示する（ステップＳ３００）。操作者は、この表示を見て、リモコン５４，７０，８８より禁止指令を送ることで可変リモコン識別情報１８６をカメラ本体１２に送信する（ステップＳ３０２）。カメラ本体１２では、この可変リモコン識別情報１８６を記憶する（ステップＳ３０４）。
【０２１３】
そして、これ以降、リモコン５４，７０，８８からカメラ本体１２に禁止指令以外の指令を送る際はこの可変リモコン識別情報１８６を付けて送り、カメラ本体１２では、この可変リモコン識別情報１８６と上記ステップＳ３０４で記憶した記憶値との一致を取り、一致した時のみ指令を実行する。
【０２１４】
この後、リモコン５４，７０，８８から禁止モードＭ１以外のモード設定、即ち許可モードＭ４、制限モードＭ２、設定モードＭ３への切り替え指令（許可指令、制限指令、設定指令）が来た場合は、その記憶値を消去する。リモコン５４，７０，８８が禁止指令を新たに発信する場合は、新たな可変リモコン識別情報１８６を送信し、カメラ本体１２に記憶し、一致を取って指令を実行する。
【０２１５】
以上のように、本発明の第４実施形態によれば、乱数発生部１８２で発生した乱数又はデータ表１８４から選んだ値を用いて可変の認証情報を生成することで、過去の指令機器からの指令機器情報の盗聴等による指令機器の複製に対する安全性を高めることができる。
【０２１６】
［第５実施形態］
次に、本発明の第５実施形態を説明する。
【０２１７】
本実施形態においては、リモコン５４，７０，８８の制御部１４２は、図２４（Ａ）に示すように、内部に計数部１８８を備える。また、カメラ本体１２側には、図２４（Ｂ）に示すように、バス１２６に接続された計数部１９０を備える。本実施形態は、これら計数部１８８、１９０を用いて、リモコンからの指令機器情報の信頼性を向上させるものである。
【０２１８】
図２５はその手順を示す図であり、リモコン５４，７０，８８において上記第１実施形態で説明したような手順で認証モードの切り替え操作がなされた場合、まず、リモコン内の計数部１８８の計数値は消去され（ステップＳ３０６）、認証モード切り替え指令を発信したときに、計数部１８８の計数を開始する（ステップＳ３０８）。一方、カメラ本体１２側では、リモコン５４，７０，８８から認証モード切り替え指令を受信したならば、計数部１９０の計数値を消去した後（ステップＳ３１０）、認証モードをその指令されたモードに切り替えると共に計数部１９０の計数を開始する（ステップＳ３１２）。
【０２１９】
以降、リモコン５４，７０，８８において何れかのボタンが押されたならば（ステップＳ３１４）、計数部１８８の計数値を読み取り（ステップＳ３１６）、計数値付きの指令機器情報を発信する（ステップＳ３１８）。カメラ本体１２側では、その指令機器情報を受信したならば（ステップＳ３２０）、カメラ本体１２内の計数部１９０の計数値を読み取り（ステップＳ３２２）、リモコン５４，７０，８８よりの計数値と比較して同一あるいは双方の計数誤差を勘案した許容範囲内であれば（ステップＳ３２４）、その指令機器情報に沿った動作を実行する（ステップＳ３２６）。
【０２２０】
図２６（Ａ）乃至（Ｃ）は、リモコン５４，７０，８８からの送信データ信号のデータフォーマットを示す図で、図１０（Ａ）乃至（Ｃ）のデータフォーマットに計数部１８８の計数値１９２を付加した形をとる。なお、図１０（Ｄ）乃至（Ｆ）に示したように固定リモコン識別情報１６４を付加する場合には、データ部１５８あるいはヘッダ１６０に含めて送信することができる。
【０２２１】
このように、認証モードの切り替えを起点として、リモコン５４，７０，８８とカメラ本体１２でそれぞれ計数を開始して一致を取ることにより、計数値の合致するリモコンよりの指令のみを受け付けることができる。
【０２２２】
計数の方法は、指令を発する毎に、１、２、３、とカウントし、受信毎に１、２、３とカウントして一致を取る方法や、タイマを使って時間を計数する方法でも良い。したがって、同種のリモコンが複数あっても、認証情報が変化し、計数が一致しない限り他のリモコンよりの指令は受け付けないので、固定リモコン識別情報のみにより判別する場合に比べて、簡単な機構でよりいっそう安全性を高めることができる。
【０２２３】
以上のように、本発明の第５実施形態によれば、認証モードの切り替えを起点として、リモコン５４，７０，８８とカメラ本体１２でそれぞれ計数を開始して一致を取ることにより、カメラ本体１２では、計数値の合致するリモコンよりの指令のみを受け付けることができる。
【０２２４】
［第６実施形態］
次に、本発明の第６実施形態を説明する。
【０２２５】
撮影済み画像の秘匿性を高めるために、本実施形態においては、撮影状態Ｊ１，Ｊ２では、認証情報付でない撮影実行指令やズーム機能のテレボタン６２とワイドボタン６４の指令でも動作を行い、再生状態Ｊ３では、認証情報付きの指令機器情報のみで動作を行なう。
【０２２６】
そのため、上記ステップＳ３０においてセレクトスイッチ３０を読み取って再生状態J３に分岐し、上記ステップＳ７４において再生可となっていると判断された場合、上記ステップＳ７６にて最終画像をモニタ３４に表示した後、上記第１実施形態では、上記ステップＳ７８としてスイッチ、ボタンセンス、機能制限表参照分岐に入るが、本実施形態では、図２７（Ａ）に示すように、ここで更に、指令機器情報に認証情報が付いているかどうかも判断する（ステップＳ３２８）。そして、認証情報が付いていない場合は、制限機能であるもしくは認証情報無しと判断して（ステップＳ３３０）、そのスイッチやボタン類の押下は無視して上記ステップＳ７６に戻る。
【０２２７】
また、上記ステップＳ１８４でセレクトスイッチ３０の状態を読み取って、再生状態Ｊ３となっていると判断した場合（ステップＳ１９０）、本実施形態では、更に、図２７（Ｂ）に示すように、指令機器情報に認証情報が付いているかどうかも判断する（ステップＳ３３２）。そして、認証情報が付いていれば、上述した禁止モードＭ１におけるリモコン操作による再生動作に移行するが、認証情報が付いていない場合には、上記ステップＳ７６に戻る。
【０２２８】
図２８（Ａ）乃至（Ｄ）は、リモコン５４，７０，８８からの機能範囲指定情報１９４を含む指令機器情報、特には認証モード切り替え指令の送信データ信号の他フォーマットを示す図であり、図２８（Ｅ）は、機能範囲指定情報１９４及びＩＤ情報１９６を含む指令機器情報の送信データ信号の他フォーマットを示す図である。ここでは、機能範囲指定情報１９４及びＩＤ情報１９６は、リモコン５４，７０，８８からの送信データ信号のデータフォーマットに追加する形で説明するが、データ部１５８のｎバイトの中に指令機器情報と共に含ませることもできる。また、固定リモコン識別情報１６４は、図２８（Ａ）ではデータ部１５８に、図２８（Ｂ）及び（Ｃ）ではヘッダ１６０あるいはデータ部１５８に、図２８（Ｄ）ではヘッダ１６０あるいは計数値１９２又はデータ部１５８に、図２８（Ｅ）ではヘッダ１６０あるいはＩＤ情報１９６又はデータ部１５８に、含めて送信することができる。
【０２２９】
図２８（Ａ）は、使用できる機能の範囲を指定する機能範囲指定情報１９４を指令機器情報、特には認証モード切り替え指令に含める場合を示す図である。この機能範囲指定情報１９４としては、図１４の機能制限表の制限フラグをビット単位あるいはバイト単位で対応させれば良い。図２８（Ｂ）は、ヘッダ１６０と機能範囲指定情報１９４を、図２８（Ｃ）は、ヘッダ１６０と機能範囲指定情報１９４とＥＣＣ１６２を、図２８（Ｄ）は、ヘッダ１６０と計数値１９２と機能範囲指定情報１９４とＥＣＣ１６２を、図２８（Ｅ）は、ヘッダ１６０と製造番号等の機器固有のＩＤ情報１９６と機能範囲指定情報１９４とＥＣＣ１６２を、それぞれ含めた場合の例である。図２８（Ｅ）のＩＤ情報１９６は、リモコン５４，７０，８８とカメラ本体１２との双方の製造番号や、シリアル番号あるいは製造日付や場所、機種名、ランダムな文字列など、機器の認識が出来るものであれば良い。
【０２３０】
以上のように、本発明の第６実施形態によれば、撮像は何時でも誰でも行うことができるようにして操作性を高め、それ以外の再生やコピー等の機能についてはセキュリティを確保することができる。
【０２３１】
また、指令機器情報、特に認証モード切り替え指令に機能範囲指定情報１９４を含めることで、使用できる機能の範囲をユーザが任意に指定できるようになる。
【０２３２】
また、認証情報がカメラ本体１２に固有のＩＤ情報を含むので、同一構成のカメラ本体１２が複数有っても、誤動作するおそれがない。
【０２３３】
なお、指令機器情報に上記のような認証情報を含ませているので、当該撮像機器に対する個々の指令機器情報を確実に判別して実行できる。
【０２３４】
［第７実施形態］
次に、本発明の第７実施形態を説明する。
【０２３５】
本実施形態は、指令機器情報送信の時間軸要素を切り替えるようにしたものである。
【０２３６】
図２９（Ａ）は、図９（Ｂ）で説明した１ビットデータ波形であり、論理「０」は単位時間Ｔの「１」と「０」で、論理「１」は単位時間Ｔの「１」と３単位時間（３Ｔ）の「０」で、それぞれ構成される。
【０２３７】
本実施形態は、指令機器情報の送信時には、これを、例えば、図２９（Ｂ）に示すように、単位時間を２Ｔとして、論理「０」は２Ｔの「１」と「０」、論理「１」は２Ｔの「１」と６Ｔの「０」を用いる。勿論、図２９（Ｂ）の２Ｔを３Ｔに、６Ｔを９Ｔに変えるなど、図２９（Ａ）と比較しての変更の比率は任意である。
【０２３８】
このように時間軸の要素を変えた部分をリモコンデータフォーマットの認証情報（固定リモコン識別情報１６４等）や計数値１９２あるいは機能範囲指定情報１９４の指定など特に重要な情報部分に割り当て、通常のデータ部１５８の部分は図２９（Ａ）のＴと３Ｔに標準パターンで送信する。
【０２３９】
以上のように、本発明の第７実施形態によれば、送信データのパターンをそのデータの使用目的により、時間軸上で変える即ちパルス幅を変えることにより、データ解釈によるデータ種類の判別ではなく、データパターンによる区別が可能となる。このことにより、単純なデータパターンで全ての情報を送信して意味を解釈する場合に比べて、重要情報の確実な判別ができるので、認証機能を持たない普通のリモコンを改造して認証機能を持たせるような不正手段が取り難くなり、より安全性の高い認証やカメラの設定変更ができる。
【０２４０】
この時間軸要素の変更は、２Ｔと６Ｔの組み合わせ以外に、３Ｔと５Ｔや１．５Ｔと３．５Ｔのように種々取り得る。多数のパターンを用意して、リモコン毎に変える事により、１００パターンの場合は１００分の１のリスクはあるが、同機種のカメラの他人のリモコンでの操作ができないようにすることもできる。
【０２４１】
［第８実施形態］
次に、本発明の第８実施形態を説明する。
【０２４２】
本実施形態は、図９（Ａ）乃至（Ｄ）のデータフォーマットでは現れないデータパターンを用いるものである。
【０２４３】
図３０（Ａ）は、図９（Ｂ）で説明した１ビットデータ波形であり、論理「０」は単位時間Ｔの「１」と「０」で、論理「１」は単位時間２Ｔの「１」と３単位時間（３Ｔ）の「０」で、それぞれ構成される。
【０２４４】
図３０（Ｂ）は、特殊パターンの例で、１Ｔの「１」と「０」、２Ｔの「１」と「０」、３Ｔの「１」と「０」、４Ｔの「１」と「０」という通常のデータには現れないパターンの例である。このパターンの長さと組合わせは任意で、通常のデータパターンである１Ｔの論理「０」と３Ｔの論理「１」及びリーダコード１５４として用いられる８Ｔの「１」と４Ｔの「０」、並びにストップコード１５６として用いられる１Ｔの「１」と６０Ｔの「０」の組合わせ以外のパターンであれば良い。
【０２４５】
以上のように、本発明の第８実施形態によれば、リモコン５４，７０，８８の送信データの一部のパターンを通常のデータフォーマットでは現れない特殊パターンとすることにより、データ解釈によるデータ種類の判別ではなく、データパターンによる区別が可能となる。このことにより、単純なデータパターンで全ての情報を送信して意味を解釈する場合に比べて、認証情報（固定リモコン識別情報１６４等）や計数値１９２あるいは機能範囲指定情報１９４の指定など重要情報の確実な判別ができるので、認証機能を持たない普通のリモコンを改造して認証機能を持たせるような不正手段が取り難くなり、より安全性の高い認証ができる。この特殊パターンを多数用意して、リモコン毎に変える事により、１００パターンの場合は１００分の１のリスクはあるが、同機種のカメラの他人のリモコンでの操作ができないようにすることもできる。
【０２４６】
［第９実施形態］
次に、本発明の第９実施形態を説明する。
【０２４７】
本実施形態は、光学式リモコン５４，７０よりの指令を多方向から受光できるようにしたものである。
【０２４８】
即ち、電波式リモコン８８の場合は、その性質から、アンテナ３２の形状により多少の指向性はあっても、多方向からの指令電波を受信することは容易である。他方、光学式リモコン５４，７０の場合は、カメラ本体１２の受光素子１８では、図１Ａ（Ａ）及び図２に示すように、カメラ本体１２の前面方向からの指令光は受光し易いが、カメラ本体１２の背面方向や上下左右方向からの指令光に対する感度は低くなる。
【０２４９】
そこで、本実施形態では、図３１（Ａ）及び（Ｂ）に示すように、受光用センサとして受光素子１８Ａ，１８Ｂを２箇所に設ける。図３１（Ａ）では、受光素子１８Ａをカメラ本体１２の前面に配置し、前方よりの指令光を受光し、図３１（Ｂ）では、カメラ本体１２の背面に受光素子１８Ｂを配置して、カメラ本体１２の背面方向よりの指令光を受光する。
【０２５０】
このような構成により、より多方向からの指令光を受光可能となる。なお、受光素子以外の番号は図１Ａ（Ａ）及び図１Ｂ及び図２と同様である。
【０２５１】
また、図３２は、受光部１９８Ａ，１９８Ｂをカメラ本体１２の上面の対角に配置したもので、前後だけでなく横方向も含めた水平面の３６０度方向からの指令光を受光し易くした構成である。受光部１９８Ａ及び１９８Ｂは、できるだけ指向性が強くない受光素子であることが望ましい。
【０２５２】
例えば、図３３は、このような受光部１９８Ａ又は１９８Ｂの構成の一例を示す図である。これは、カメラ本体１２の上面に透光性カバー２００と逆円錐型のミラー２０２を配置し、多方向からのリモコン２０４の指令光２０６を受光素子１８に導く構成である。透光性カバー２００には、光学フィルタの機能を持たせても良い。また、ミラー２０２の反射面に集光作用を持たせるために、透光性カバー２００は球面あるいは非球面形状としても良い。
【０２５３】
図３４（Ａ）及び（Ｂ）は、受光部１９８Ａ，１９８Ｂの別の構成を示す図である。図３４（Ａ）に示すように、カメラ本体１２の上面の透光性カバー２００の中に、複数の受光素子１８を配置し、多方向からのリモコン２０４の指令光２０６を複数の受光素子１８で受光する構成である。受光素子１８は２個以上であれば良い。透光性カバー２００には、光学フィルタの機能を持たせても良い。図３４（Ｂ）は、透光性カバー２００の上面から見た図で、受光素子１８を４個配置した場合である。
【０２５４】
また、図３５（Ａ）及び（Ｂ）は、受光部１９８Ａ，１９８Ｂの更に別の構成を示す図である。図３５（Ａ）に示すように、複数の光ファイバ２０８を用いて、多方向からの指令光２０６を受光素子１８に導く構成である。集光用レンズ２１０あるいは光学フィルタは受光素子１８の感度と増幅部のゲインとの兼ね合いで省略しても良い。光ファイバ２０８は、２本以上であれば良い。また、ファイバプレート状に並べても良い。図３５（Ｂ）は、透光性カバー２００の上面から見た図で、光ファイバ２０８と集光用レンズ２１０をそれぞれ８個配置した場合である。
【０２５５】
以上のように、本発明第９実施形態によれば、多方向からの指令光を受光し易い構成を採ることにより、一つの指令機器を認証指令機器と通常の撮像、再生操作機器として兼用する場合の操作性を格段に向上させることができる。具体的には、カメラ本体１２を禁止モードＭ１に設定しておき安全性を高めた使用をする場合、カメラ本体１２の前方方向に立ってリモコン指令で自分（達）を撮影する場合は、受光素子１８が前面にあれば操作性が良い。再生状態や印刷時にモニタ３４を見ながら操作する場合は、受光素子１８はカメラ本体１２の背面にあれば操作し易い。もし、前面のみの場合は、手を大きく伸ばしてカメラ本体１２の前方にリモコン５４，７０，８８（２０４）が来るようにして操作をするか、カメラ本体１２の前に鏡を置いて反射させてリモコンの光が受光素子１８に入射するようにせねばならず、操作性が悪い。また、カメラ本体１２前方の他人や景色を三脚を立てて写す場合に、モニタ３４を見ながら撮影指令を発するときには、受光素子１８は背面にあった方が良い。更に、リモコンで認証モードを切り替えてその確認や警報メッセージをモニタ３４に表示する場合も受光素子１８はモニタ３４側にあった方が操作性は良い。禁止モードＭ１以外の場合は操作者がカメラ背面にいてもリモコンだけでなくカメラ本体１２のスイッチやボタンの操作で使用できるので、受光素子１８がカメラ前面だけでもかなり使えるが、指令機器にカメラの鍵の機能を併せ持たせた禁止モードＭ１においては、リモコンよりの指令のみを受け付けるため、指令機器の位置によらず多方向からの指令光を受光できる本実施形態の構成により、操作性を格段に向上させることができる。
【０２５６】
以上、実施形態に基づいて本発明を説明したが、本発明は上述した実施形態に限定されるものではなく、本発明の要旨の範囲内で種々の変形や応用が可能なことは勿論である。
【０２５７】
例えば、認証情報に有効期限を持たせたり、リモコン５４，７０，８８とカメラ本体１２間で認証情報を同期的に変化させることで傍受等による認証情報の不正使用を防止するようにしても構わない。
【０２５８】
また、上記実施形態では、指令機器であるリモコンから認証情報を送信する際、指令機器情報と一緒に送信するものとしたが、指令機器情報とは別個に送信するようにしても良いことは勿論である。
【０２５９】
（付記）
前記の具体的実施形態から、以下のような構成の発明を抽出することができる。
【０２６０】
（１）  撮像手段を備えた撮像機器と、該撮像機器の本体とは別体に構成され、該撮像機器本体に対して撮影実行指令を送信することにより上記撮像手段が撮像を行なうように構成された指令機器と、を含む撮像システムにおいて、
上記指令機器は、上記撮像機器に対して当該撮像機器が当該指令機器の認証を行なうための認証情報を送信する認証情報送信手段を含み、
上記撮像機器は、
上記指令機器の上記認証情報送信手段から送信された上記認証情報を受信する認証情報受信手段と、
上記認証情報受信手段で受信された上記認証情報を認識する認証情報認識手段と、
上記認証情報認識手段で認識された上記認証情報に基づいて当該撮像機器の所定の機能の制限を行なう機能制限手段と、
を具備することを特徴とする撮像システム。
【０２６１】
（対応する実施形態）
この（１）に記載の撮像システムに関する実施形態は、第１乃至第９実施形態が対応する。それらの実施形態において、レンズ部１４、撮像素子１００、撮像処理回路１０２等が上記撮像手段に、デジタルカメラ１０及びデジタルムービカメラ５０が上記撮像機器に、カメラ本体１２が上記撮像機器の本体に、光学式リモコン５４又は７０もしくは電波式リモコン８８が上記指令機器に、光学式リモコン５４においては発光部５６、制御部１４２、変調部１４４、発振部１４６、トランジスタ１４８、抵抗１５０が、光学式リモコン７０においては発光部５６、制御部１４２、トランジスタ１４８、抵抗１５０が、電波式リモコン８８においてはアンテナ９０、制御部１４２、変調部１４４、発振部１４６、電力増幅部１５２が上記認証情報送信手段に、受光素子１８、アンテナ３２、受信部１０８、受光部１１２が上記認証情報受信手段に、主制御部１１０の認証情報認識部１１０Ａが上記認証情報認識手段に、主制御部１１０が上記機能制限手段に、それぞれ対応する。
【０２６２】
（作用効果）
この（１）に記載の撮像システムによれば、撮像機器本体とは別の指令機器に認証情報を持ち、撮像機器に認証情報を設定することにより、万一撮像機器を紛失した場合でも、指令機器からの認証情報が来なければ、撮影済みの画像の再生等の所定の機能が制限され、セキュリティを確保することが可能であると共に、小型の指令機器を撮影実行指令送信用と認証情報送信用に兼用することで、携行に負担が少なく操作も容易な撮像機器のセキュリティシステムを実現できる。
【０２６３】
従って、操作が容易で、コストも低く、安全性が高い撮像機器の使用制限機能を実現することが可能な撮像システムを提供することができる。
【０２６４】
（２）  上記撮像機器は、上記撮像手段で撮像された画像を再生する画像再生手段を更に具備し、
上記撮像機器の上記機能制限手段は、上記画像再生手段に係る機能を制限することを特徴とする（１）に記載の撮像システム。
【０２６５】
（対応する実施形態）
この（２）に記載の撮像システムに関する実施形態は、第１乃至第９実施形態が対応する。それらの実施形態において、モニタ３４、主制御部１１０、表示制御部１３２が上記画像再生手段に対応する。
【０２６６】
（作用効果）
この（２）に記載の撮像システムによれば、撮影済みの画像の再生が制限されるので、万一撮像機器単体を紛失してしまい、その撮像機器を第三者が入手したとしても、その第三者に撮像機器内の撮影済み画像を見られるおそれを無くすことができる。
【０２６７】
（３）  上記指令機器は、上記撮影実行指令を含む上記撮像機器の撮像動作に関わる撮影指令、又は、上記撮像機器の上記機能の制限に関わる認証モード切り替え指令を、指令機器情報として送信する指令機器情報送信手段を更に具備することを特徴とする（１）に記載の撮像システム。
【０２６８】
（対応する実施形態）
この（３）に記載の撮像システムに関する実施形態は、第１乃至第９実施形態が対応する。それらの実施形態において、光学式リモコン５４では発光部５６、制御部１４２、変調部１４４、発振部１４６、トランジスタ１４８、抵抗１５０が、光学式リモコン７０では発光部５６、制御部１４２、トランジスタ１４８、抵抗１５０が、電波式リモコン８８ではアンテナ９０、制御部１４２、変調部１４４、発振部１４６、電力増幅部１５２が、上記指令機器情報送信手段に対応する。
【０２６９】
（作用効果）
この（３）に記載の撮像システムによれば、小型の指令機器を撮像用と認証用に兼用することで、携行に負担が少なく操作も容易なセキュリティシステムを実現できる。
【０２７０】
（４）  上記指令機器は、上記撮影指令と上記認証モード切り替え指令との何れを上記指令機器情報送信手段によって送信するかを切り替える切り替え手段を更に具備することを特徴とする（３）に記載の撮像システム。
【０２７１】
（対応する実施形態）
この（４）に記載の撮像システムに関する実施形態は、第１乃至第９実施形態が対応する。それらの実施形態において、認証設定スイッチ６０が上記切り替え手段に対応する。
【０２７２】
（作用効果）
この（４）に記載の撮像システムによれば、一つの指令機器情報送信手段により撮影指令と認証モード切り替え指令とを容易に切り替え送信することができる。
【０２７３】
（５）  上記撮像機器は、
上記指令機器の上記指令機器情報送信手段から送信された上記指令機器情報を受信する指令機器情報受信手段と、
上記指令機器情報受信手段で受信された指令機器情報の内容を判別する指令判別手段を更に具備することを特徴とする（３）に記載の撮像システム。
【０２７４】
（対応する実施形態）
この（５）に記載の撮像システムに関する実施形態は、第１乃至第９実施形態が対応する。それらの実施形態において、受光素子１８、アンテナ３２、受信部１０８、受光部１１２が上記指令機器情報受信手段に、主制御部１１０が上記指令判別手段に対応する。
【０２７５】
（作用効果）
この（５）に記載の撮像システムによれば、撮像機器では、受信した指令機器情報の内容を判別して、動作を行うことができる。
【０２７６】
（６）  上記撮像機器は、上記指令判別手段で判別した上記認証モード切り替え指令に応じて、当該撮像機器の認証モードを設定するモード設定手段を更に具備し、
上記撮像機器の上記機能制限手段は、上記モード設定手段によって設定された認証モードに応じて当該撮像機器の機能の制限を行なうことを特徴とする（５）に記載の撮像機器。
【０２７７】
（対応する実施形態）
この（６）に記載の撮像システムに関する実施形態は、第１乃至第９実施形態が対応する。それらの実施形態において、主制御部１１０、モードメモリ１２８が上記モード設定手段に対応する。
【０２７８】
（作用効果）
この（６）に記載の撮像システムによれば、撮像機器では、受信した認証モード切り替え指令に応じて、認証モードを切り替え設定することができる。
【０２７９】
（７）  上記撮像機器の上記モード設定手段は、更に、当該撮像機器の電源投入時には、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする（６）に記載の撮像システム。
【０２８０】
（対応する実施形態）
この（７）に記載の撮像システムに関する実施形態は、第１乃至第９実施形態が対応する。
【０２８１】
（作用効果）
この（７）に記載の撮像システムによれば、撮像機器は電源投入時に禁止モードに設定されるので、指令機器を持っていて指令機器で指令するか、指令機器で他の認証モードに切り替えない限り、撮像機器単独では使用できない、即ち撮像機器に鍵が掛かった状態にすることができる。
【０２８２】
（８）  上記撮像機器の上記モード設定手段は、当該撮像機器の電源断時に、現在設定されている認証モードを記憶しておくメモリを有することを特徴とする（６）に記載の撮像システム。
【０２８３】
（対応する実施形態）
この（８）に記載の撮像システムに関する実施形態は、第１乃至第９実施形態が対応する。それらの実施形態において、モードメモリ１２８が上記メモリに対応する。
【０２８４】
（作用効果）
この（８）に記載の撮像システムによれば、電源断時に、その時設定されている認証モードを保存しておくことが可能となる。
【０２８５】
（９）  上記撮像機器の上記モード設定手段の上記メモリは、電源オフでも記憶内容を保持できる不揮発性メモリであることを特徴とする（８）に記載の撮像システム。
【０２８６】
（対応する実施形態）
この（９）に記載の撮像システムに関する実施形態は、第１乃至第９実施形態が対応する。
【０２８７】
（作用効果）
この（９）に記載の撮像システムによれば、電源断時に保存した認証モードを保持し続けることができる。
【０２８８】
（１０）  上記撮像機器の上記モード設定手段は、更に、当該撮像機器の電源投入時には、上記メモリに記憶されている認証モードを読み出して、その認証モードに設定することを特徴とする（８）に記載の撮像システム。
【０２８９】
（対応する実施形態）
この（１０）に記載の撮像システムに関する実施形態は、第１乃至第９実施形態が対応する。
【０２９０】
（作用効果）
この（１０）に記載の撮像システムによれば、撮像機器の電源投入時に、前回の認証モードで起動することが可能となる。
【０２９１】
（１１）  上記撮像機器の上記モード設定手段は、上記指令機器からの上記認証モード切り替え指令に応じてのみ、上記認証モードの設定を行うことを特徴とする（６）に記載の撮像システム。
【０２９２】
（対応する実施形態）
この（１１）に記載の撮像システムに関する実施形態は、第１乃至第９実施形態が対応する。
【０２９３】
（作用効果）
この（１１）に記載の撮像システムによれば、指令機器がない限りは認証モードを変更することができないので、指令機器を持たない第三者に認証モードを変更されて、撮影済みの画像の再生等が行われてしまうおそれがない。
【０２９４】
（１２）  上記撮像機器は、時間を計測する時間計測手段を更に具備し、
上記撮像機器の上記モード設定手段は、更に、上記時間計測手段によって計測された時間に基づいて、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする（６）に記載の撮像システム。
【０２９５】
（対応する実施形態）
この（１２）に記載の撮像システムに関する実施形態は、第１乃至第９実施形態が対応する。それらの実施形態において、禁止タイマ１４０が上記時間計測手段に対応する。
【０２９６】
（作用効果）
この（１２）に記載の撮像システムによれば、撮像機器が万一盗難等にあっても、所定時間が経過すると自動的に禁止モードとなるので、比較的安全である。
【０２９７】
（１３）  上記撮像機器の上記時間計測手段は、当該撮像機器の電源オフ後でも時間を計測し続け、
上記撮像機器の上記モード設定手段は、上記時間計測手段が所定の時間を計測したときに、上記禁止モードを設定することを特徴とする（１２）に記載の撮像システム。
【０２９８】
（対応する実施形態）
この（１３）に記載の撮像システムに関する実施形態は、第１乃至第９実施形態が対応する。
【０２９９】
（作用効果）
この（１３）に記載の撮像システムによれば、電源がオフされた後も計時が継続されて、所定時間で禁止モードに設定されるので、ユーザは電源断時にいちいち認証モードを切り替える必要がない。
【０３００】
（１４）  上記撮像機器の上記モード設定手段は、電池が消耗あるいは取り外された場合、直ちにあるいは予め設定された時間後、あるいは電圧監視の結果により、上記認証モードとして、上記禁止モードを設定することを特徴とする（１２）又は（１３）に記載の撮像システム。
【０３０１】
（対応する実施形態）
この（１４）に記載の撮像システムに関する実施形態は、第１乃至第９実施形態が対応する。それらの実施形態において、電池１３８が上記電池に対応する。
【０３０２】
（作用効果）
この（１４）に記載の撮像システムによれば、電池が消耗あるいは取り外された場合に禁止モードに設定されるので、故意あるいは過失により電池が抜き取られたまま、あるいは消耗したまま放置されてバックアップ用の電池あるいはキャパシタの電気も消耗してしまい時間計測手段が計時できなくなって、所定時間が経過しても禁止モードを設定することができなくなってしまい、当該撮像機器が使用できてしまうということを防止できる。
【０３０３】
（１５）  上記認証情報は、光又は電波で送信されることを特徴とする（１）に記載の撮像システム。
【０３０４】
（対応する実施形態）
この（１５）に記載の撮像システムに関する実施形態は、第１乃至第９実施形態が対応する。
【０３０５】
（作用効果）
この（１５）に記載の撮像システムによれば、光又は電波によって認証情報を送信するので、撮像機器と指令機器とを接続するケーブル等の携帯を不要とすることができる。
【０３０６】
（１６）  上記撮像機器は、上記認証情報送信手段を有する指令機器に加えて、上記認証情報送信手段を有さず、少なくとも上記撮影実行指令を送信可能な指令機器を利用可能であることを特徴とする（１）に記載の撮像システム。
【０３０７】
（対応する実施形態）
この（１６）に記載の撮像システムに関する実施形態は、第１乃至第９実施形態が対応する。
【０３０８】
（作用効果）
この（１６）に記載の撮像システムによれば、再生等プライバシにかかわる機能の実行には認証情報を送信できる指令機器であることが必要であるが、撮影行為自体にはプライバシ保護は必要がないので、認証情報を送信しない撮影に関する機能のみ指令できる別の指令機器を用いて撮影を行うことができる。よって、旅行等にはその撮影機能に絞った指令機器を携行し、認証情報を送信できる指令機器は自宅に置いてくれば、撮影は自由に行え、そして、たとえ旅行先で撮像機器と指令機器を紛失したり盗難にあっても、認証情報を送信できる指令機器は自宅に有り、当該撮像機器を入手した第三者はそれを有していないので、撮影した画像のセキュリティを守ることができる。
【０３０９】
（１７）  上記撮像機器は、内蔵メモリを更に具備し、
上記撮像機器の上記機能制限手段は、上記モード設定手段によって認証モードとして上記指令機器以外での当該撮像機器の機能の実行を不可とする禁止モードが設定されている場合、上記指令判別手段で判別した上記指令機器からの撮影実行指令に基づいて上記撮像手段で撮像を行った時、その撮像された画像の保存先を上記内蔵メモリのみに制限することを特徴とする（６）に記載の撮像システム。
【０３１０】
（対応する実施形態）
この（１７）に記載の撮像システムに関する実施形態は、第２乃至第９実施形態が対応する。それらの実施形態において、内蔵メモリ１０４が上記内蔵メモリに対応する。
【０３１１】
（作用効果）
この（１７）に記載の撮像システムによれば、禁止モードでは撮像された画像は内蔵メモリにのみ記憶されるので、他の機器で読み出すことができない。
【０３１２】
（１８）  上記撮像機器の上記機能制限手段は、上記内蔵メモリに記憶された画像を読み出して、表示、コピー、移動、印刷の何れかを行う場合は、上記認証情報認識手段で認識された上記認証情報により認証された指令機器からの上記撮影指令によってのみ行なうよう制限することを特徴とする（１７）に記載の撮像システム。
【０３１３】
（対応する実施形態）
この（１８）に記載の撮像システムに関する実施形態は、第２乃至第９実施形態が対応する。
【０３１４】
（作用効果）
この（１８）に記載の撮像システムによれば、更に、撮像機器が禁止モードである限り、指令機器が無いと内蔵メモリに記憶されている画像の再生、コピー、移動、印刷などはできなくすることができる。
【０３１５】
（１９）  上記撮像機器は、更に、着脱可能なメモリを装着可能に構成され、
上記内蔵メモリに記憶された画像を上記着脱可能なメモリにコピー又は移動する場合は、暗号化して記憶することを特徴とする（１７）又は（１８）に記載の撮像システム。
【０３１６】
（対応する実施形態）
この（１９）に記載の撮像システムに関する実施形態は、第２乃至第９実施形態が対応する。それらの実施形態において、着脱メモリ１０６が上記着脱可能なメモリに対応する。
【０３１７】
（作用効果）
この（１９）に記載の撮像システムによれば、内蔵メモリの画像を着脱可能なメモリにコピー又は移動する場合は、暗号化して記憶することで、着脱可能なメモリの画像に対してもセキュリティを確保することが可能になる。
【０３１８】
（２０）  上記指令機器は、上記撮像手段で撮像された画像を上記内蔵メモリに記録するか、上記着脱可能なメモリに記録するかを選択する手段を更に具備することを特徴とする（１９）に記載の撮像システム。
【０３１９】
（対応する実施形態）
この（２０）に記載の撮像システムに関する実施形態は、第２乃至第９実施形態が対応する。それらの実施形態において、メニューボタン７６等が上記選択する手段に対応する。
【０３２０】
（作用効果）
この（２０）に記載の撮像システムによれば、撮影した画像の記憶先をユーザが選択することができる。
【０３２１】
（２１）  上記撮像機器は、上記撮像手段で撮像された画像を記憶する際、上記モード設定手段によって現在設定されている認証モードを示す認証モード情報を付加して記憶する手段を更に具備することを特徴とする（６）に記載の撮像システム。
【０３２２】
（対応する実施形態）
この（２１）に記載の撮像システムに関する実施形態は、第３乃至第９実施形態が対応する。それらの実施形態において、主制御部１１０が上記認証モード情報を付加して記憶する手段に対応する。
【０３２３】
（作用効果）
この（２１）に記載の撮像システムによれば、撮影した画像に認証モード情報を付加して記憶するので、画像読み出しの際に、その認証モード情報を確認して表示等をするかどうかの判断を行なうことができる。
【０３２４】
（２２）  上記撮像機器の上記機能制限手段は、上記記憶した画像を再生する際、当該画像に上記認証モード情報が付加されていた場合、その認証モード情報が当該撮像機器において上記モード設定手段によって設定されている現在の認証モードと同じ認証モードを示すときのみ、当該画像の再生を許可することを特徴とする（２１）に記載の撮像システム。
【０３２５】
（対応する実施形態）
この（２２）に記載の撮像システムに関する実施形態は、第３乃至第９実施形態が対応する。
【０３２６】
（作用効果）
この（２２）に記載の撮像システムによれば、撮像機器の現在の機能の制限と異なる機能の制限を示す認証モード情報を持つ画像の再生を行わないようにすることができる。
【０３２７】
（２３）  上記指令機器は、上記認証情報送信手段で送信する上記認証情報として、乱数発生手段により生成した乱数を含む認証情報を生成する認証情報生成手段を更に具備することを特徴とする（１）に記載の撮像システム。
【０３２８】
（対応する実施形態）
この（２３）に記載の撮像システムに関する実施形態は、第４乃至第９実施形態が対応する。それらの実施形態において、リモコン５４，７０，８８の制御部１４２の乱数発生部１８２が上記乱数発生手段に、制御部１４２が上記認証情報生成手段に、それぞれ対応する。
【０３２９】
（作用効果）
この（２３）に記載の撮像システムによれば、乱数を用いて可変の認証情報を生成することで、過去の指令機器からの撮像指令情報の盗聴等による指令機器の複製に対する安全性を高めることができる。
【０３３０】
（２４）  上記指令機器は、上記認証情報送信手段で送信する上記認証情報として、予め記憶した表の中から選んだデータを含む認証情報を生成する認証情報生成手段を更に具備することを特徴とする（１）に記載の撮像システム。
【０３３１】
（対応する実施形態）
この（２４）に記載の撮像システムに関する実施形態は、第４乃至第９実施形態が対応する。それらの実施形態において、リモコン５４，７０，８８の制御部１４２のデータ表１８４が上記予め記憶した表に、制御部１４２が上記認証情報生成手段に、それぞれ対応する。
【０３３２】
（作用効果）
この（２４）に記載の撮像システムによれば、データ表から選んだ値を用いて可変の認証情報を生成することで、過去の指令機器からの撮像指令情報の盗聴等による指令機器の複製に対する安全性を高めることができる。
【０３３３】
（２５）  上記指令機器は、
上記指令機器情報送信手段による上記認証モード切り替え指令の送信時を起点として計数を開始する第１の計数手段と、
上記認証モード切り替え指令の送信後、上記指令機器情報を上記指令機器情報送信手段から送信する際には、上記第１の計数手段の計数値を上記指令機器情報に含めて送信させる手段と、
を更に具備し、
上記撮像機器は、
上記指令機器からの上記認証モード切り替え指令に基づいた上記モード設定手段による認証モードの設定時から計数を開始する第２の計数手段と、
上記指令機器情報受信手段によって上記指令機器から上記指令機器情報を受信した際には、その受信した指令機器情報に含まれる上記第１の計数手段の計数値を上記第２の計数手段の計数値と比較する比較手段と、
を更に具備し、
上記撮像機器の上記機能制限手段は、上記比較手段の比較結果に基づいて上記機能の制限を設定することを特徴とする（６）に記載の撮像システム。
【０３３４】
（対応する実施形態）
この（２５）に記載の撮像システムに関する実施形態は、第５乃至第９実施形態が対応する。それらの実施形態において、リモコン５４，７０，８８の制御部１４２の計数部１８８が上記第１の計数手段に、制御部１４２が上記送信する手段に、カメラ本体１２の計数部１９０が上記第２の計数手段に、主制御部１１０が上記比較手段に、それぞれ対応する。
【０３３５】
（作用効果）
この（２５）に記載の撮像システムによれば、認証モードの切り替えを起点として、指令機器と撮像機器でそれぞれ計数を開始して一致を取ることにより、撮像機器においては、計数値の合致する指令機器よりの指令のみを受け付けることができる。
【０３３６】
（２６）  上記指令機器の上記指令機器情報送信手段は、上記指令機器情報に上記認証情報を付加して送信し、
上記撮像機器の上記機能制限手段は、上記撮像手段での撮像に関する機能については、上記認証情報認識手段での上記認証情報の認識結果にかかわらず制限を行わず、それ以外の機能については、上記指令機器情報受信手段で受信し上記認証情報認識手段で認識した上記指令機器情報に付加された認証情報に基づいて機能の制限を行うことを特徴とする（５）に記載の撮像システム。
【０３３７】
（対応する実施形態）
この（２６）に記載の撮像システムに関する実施形態は、第６乃至第９実施形態が対応する。
【０３３８】
（作用効果）
この（２６）に記載の撮像システムによれば、撮像は何時でも誰でも行うことができるようにして操作性を高め、それ以外の機能についてはセキュリティを確保することができる。
【０３３９】
（２７）  上記指令機器の上記指令機器情報送信手段は、上記指令機器情報に更に、上記制限する機能の範囲を指定する機能範囲情報を付加して送信し、
上記撮像機器の上記機能制限手段は、上記指令機器情報受信手段で受信した上記指令機器情報に付加された上記機能範囲情報に従って機能の制限を行うことを特徴とする（２６）に記載の撮像システム。
【０３４０】
（対応する実施形態）
この（２７）に記載の撮像システムに関する実施形態は、第６乃至第９実施形態が対応する。それらの実施形態において、機能範囲指定情報１９４が上記使用できる機能の範囲を指定する情報に対応する。
【０３４１】
（作用効果）
この（２７）に記載の撮像システムによれば、使用できる機能の範囲をユーザが任意に指定できるようになる。
【０３４２】
（２８）  上記認証情報は、上記撮像機器に固有のＩＤ情報を含むことを特徴とする（１）に記載の撮像システム。
【０３４３】
（対応する実施形態）
この（２８）に記載の撮像システムに関する実施形態は、第６乃至第９実施形態が対応する。それらの実施形態において、ＩＤ情報１９６が上記撮像機器に固有のＩＤ情報に対応する。
【０３４４】
（作用効果）
この（２８）に記載の撮像システムによれば、認証情報が撮像機器に固有のＩＤ情報を含むので、同一構成の撮像機器が複数有っても、誤動作するおそれがない。
【０３４５】
（２９）  上記指令機器の上記指令機器情報送信手段は、上記指令機器情報に上記認証情報を付加して送信し、
上記撮像機器は、上記指令機器情報受信手段で受信した上記認証情報が付加された上記指令機器情報に従った動作を行なうことを特徴とする（５）に記載の撮像システム。
【０３４６】
（対応する実施形態）
この（２９）に記載の撮像システムに関する実施形態は、第６乃至第９実施形態が対応する。
【０３４７】
（作用効果）
この（２９）に記載の撮像システムによれば、指令機器情報に認証情報を含ませているので、当該撮像機器に対する個々の指令機器情報を実行する際に、認証を行うことができる。
【０３４８】
（３０）  上記認証情報は、上記指令機器情報とは送信情報の時間軸要素が異なることを特徴とする（３）に記載の撮像システム。
【０３４９】
（対応する実施形態）
この（３０）に記載の撮像システムに関する実施形態は、第７乃至第９実施形態が対応する。
【０３５０】
（作用効果）
この（３０）に記載の撮像システムによれば、データ解釈によるデータ種類の判別ではなく、データパターンによる区別が可能となり、単純なデータパターンで全ての情報を送信して意味を解釈する場合に比べて、認証情報という重要情報の確実な判別ができるので、認証機能を持たない普通の指令機器を改造して認証機能を持たせるような不正手段が取り難くなり、より安全性の高い認証や認証モードの設定が行える。
【０３５１】
（３１）  上記認証情報は、通常の指令機器情報では現れない特殊パターンを用いることを特徴とする（３）に記載の撮像システム。
【０３５２】
（対応する実施形態）
この（３１）に記載の撮像システムに関する実施形態は、第８乃至第９実施形態が対応する。
【０３５３】
（作用効果）
この（３１）に記載の撮像システムによれば、認証情報の送信パターンを通常のデータフォーマットでは現れない特殊パターンとすることにより、データ解釈によるデータ種類の判別ではなく、データパターンによる区別が可能となる。このことにより、単純なデータパターンで全ての情報を送信して意味を解釈する場合に比べて、認証情報という重要情報の確実な判別ができるので、認証機能を持たない普通の指令機器を改造して認証機能を持たせるような不正手段が取り難くなり、より安全性の高い認証ができる。
【０３５４】
（３２）  上記撮像機器の上記認証情報受信手段は、少なくとも１８０度異なる方向からの上記認証情報を受信できることを特徴とする（１）に記載の撮像システム。
【０３５５】
（対応する実施形態）
この（３２）に記載の撮像システムに関する実施形態は、第９実施形態が対応する。
【０３５６】
（作用効果）
この（３２）に記載の撮像システムによれば、多方向からの認証情報を受信し易い構成を採ることにより、認証情報をどの方向から送信しても良くなるため、操作性を格段に向上させることができる。
【０３５７】
（３３）  撮像手段を備えた撮像機器と、該撮像機器の本体とは別体に構成され、該撮像機器本体に対して撮影実行指令を送信することにより上記撮像手段が撮像を行なうように構成された指令機器と、の間で行なわれる上記撮像機器の認証方法であって、
上記指令機器から、上記撮像機器に対して当該撮像機器が当該指令機器の認証を行なうための認証情報を送信し、
上記撮像機器で、上記指令機器から送信された上記認証情報を受信して、上記認証情報を認識し、当該認識された上記認証情報に基づいて当該撮像機器の所定の機能の制限を行なう、
ことを特徴とする撮像機器の認証方法。
【０３５８】
（対応する実施形態）
この（３３）に記載の撮像機器の認証方法に関する実施形態は、第１乃至第９実施形態が対応する。
【０３５９】
（作用効果）
この（３３）に記載の撮像機器の認証方法によれば、撮像機器本体とは別の指令機器に認証情報を持ち、撮像機器に認証情報を設定することにより、万一撮像機器を紛失した場合でも、指令機器からの認証情報が来なければ、撮影済みの画像の再生等の所定の機能が制限され、セキュリティを確保することが可能であると共に、小型の指令機器を撮像用と認証用に兼用することで、携行に負担が少なく操作も容易な撮像機器のセキュリティシステムを実現できる。
【０３６０】
従って、操作が容易で、コストも低く、安全性が高い撮像機器の使用制限機能を実現することが可能な撮像機器の認証方法を提供することができる。
【０３６１】
（３４）  上記指令機器の上記認証情報送信手段は、上記指令機器情報送信手段が上記指令機器情報を送信する際、上記認証情報を送信し、
上記撮像機器の上記機能制限手段は、上記撮像手段での撮像に関する機能については、上記認証情報認識手段での上記認証情報の認識結果にかかわらず制限を行わず、それ以外の機能については、上記指令機器情報受信手段で上記指令機器情報を受信した際に、上記認証情報受信手段で受信し上記認証情報認識手段で認識した上記認証情報に基づいて機能の制限を行うことを特徴とする（５）に記載の撮像システム。
【０３６２】
（作用効果）
この（３４）に記載の撮像システムによれば、撮像は何時でも誰でも行うことができるようにして操作性を高め、それ以外の機能についてはセキュリティを確保することができる。
【０３６３】
（３５）  上記指令機器情報に含めて送信される上記第１の計数手段の計数値は、上記指令機器情報とは送信情報の時間軸要素が異なることを特徴とする（２５）に記載の撮像システム。
【０３６４】
（対応する実施形態）
この（３５）に記載の撮像システムに関する実施形態は、第７乃至第９実施形態が対応する。
【０３６５】
（作用効果）
この（３５）に記載の撮像システムによれば、データ解釈によるデータ種類の判別ではなく、データパターンによる区別が可能となり、単純なデータパターンで全ての情報を送信して意味を解釈する場合に比べて、第１の計数手段の計数値という重要情報の確実な判別ができるので、認証機能を持たない普通の指令機器を改造して認証機能を持たせるような不正手段が取り難くなり、より安全性の高い認証や認証モードの設定が行える。
【０３６６】
（３６）  上記指令機器情報に含めて送信される上記機能範囲情報は、上記指令機器情報とは送信情報の時間軸要素が異なることを特徴とする（２７）に記載の撮像システム。
【０３６７】
（対応する実施形態）
この（３６）に記載の撮像システムに関する実施形態は、第７乃至第９実施形態が対応する。
【０３６８】
（作用効果）
この（３６）に記載の撮像システムによれば、データ解釈によるデータ種類の判別ではなく、データパターンによる区別が可能となり、単純なデータパターンで全ての情報を送信して意味を解釈する場合に比べて、機能範囲情報という重要情報の確実な判別ができるので、認証機能を持たない普通の指令機器を改造して認証機能を持たせるような不正手段が取り難くなり、より安全性の高い認証や認証モードの設定が行える。
【０３６９】
（３７）  上記指令機器情報に含めて送信される上記第１の計数手段の計数値は、通常の指令機器情報では現れない特殊パターンを用いることを特徴とする（２５）に記載の撮像システム。
【０３７０】
（対応する実施形態）
この（３７）に記載の撮像システムに関する実施形態は、第８乃至第９実施形態が対応する。
【０３７１】
（作用効果）
この（３７）に記載の撮像システムによれば、第１の計数手段の計数値の送信パターンを通常のデータフォーマットでは現れない特殊パターンとすることにより、データ解釈によるデータ種類の判別ではなく、データパターンによる区別が可能となる。このことにより、単純なデータパターンで全ての情報を送信して意味を解釈する場合に比べて、第１の計数手段の計数値という重要情報の確実な判別ができるので、認証機能を持たない普通の指令機器を改造して認証機能を持たせるような不正手段が取り難くなり、より安全性の高い認証ができる。
【０３７２】
（３８）  上記指令機器情報に含めて送信される上記機能範囲情報は、通常の指令機器情報では現れない特殊パターンを用いることを特徴とする（２７）に記載の撮像システム。
【０３７３】
（対応する実施形態）
この（３８）に記載の撮像システムに関する実施形態は、第８乃至第９実施形態が対応する。
【０３７４】
（作用効果）
この（３８）に記載の撮像システムによれば、機能範囲情報の送信パターンを通常のデータフォーマットでは現れない特殊パターンとすることにより、データ解釈によるデータ種類の判別ではなく、データパターンによる区別が可能となる。このことにより、単純なデータパターンで全ての情報を送信して意味を解釈する場合に比べて、機能範囲情報という重要情報の確実な判別ができるので、認証機能を持たない普通の指令機器を改造して認証機能を持たせるような不正手段が取り難くなり、より安全性の高い認証ができる。
【０３７５】
（３９）  上記撮像機器の上記指令機器情報受信手段は、少なくとも１８０度異なる方向からの上記指令機器情報を受信できることを特徴とする（５）に記載の撮像システム。
【０３７６】
（対応する実施形態）
この（３９）に記載の撮像システムに関する実施形態は、第９実施形態が対応する。
【０３７７】
（作用効果）
この（３９）に記載の撮像システムによれば、多方向からの指令機器情報を受信し易い構成を採ることにより、指令機器情報をどの方向から送信しても良くなるため、操作性を格段に向上させることができる。
【図面の簡単な説明】
【０３７８】
【図１Ａ】図１Ａ（Ａ）は、本発明の撮像システムの第１実施形態における撮像機器の一例としてのデジタルカメラの外観構成を示す前方から見た斜視図であり、図１Ａ（Ｂ）は、第１実施形態における指令機器の一例としてのカメラ用の光学式リモコンの外観構成を示す斜視図であり、図１Ａ（Ｃ）は通常位置時の認証設定スイッチの拡大図であり、図１Ａ（Ｄ）は認証位置時の認証設定スイッチの拡大図である。
【図１Ｂ】図１Ｂは、デジタルカメラを後方から見た斜視図である。
【図２】図２は、第１実施形態における撮像機器の別の例としてのデジタルムービカメラの外観構成を示す斜視図である。
【図３】図３（Ａ）は、第１実施形態における指令機器の他の例としての別の光学式リモコンの外観構成を示す斜視図であり、図３（Ｂ）は、同じく指令機器の他の例としての電波式リモコンの外観構成を示す斜視図である。
【図４】図４は、デジタルカメラの電気的な構成を示すブロック図である。
【図５】図５（Ａ）は、図１Ａ（Ｂ）の光学式リモコンの電気的な構成を示すブロック図であり、図５（Ｂ）は、図３（Ａ）の光学式リモコンの電気的な構成を示すブロック図である。
【図６】図６は、電波式リモコンの電気的な構成を示すブロック図である。
【図７】図７は、デジタルカメラにおける受光部の構成を示すブロック図である。
【図８】図８は、デジタルカメラにおける受信部の構成を示すブロック図である。
【図９】図９（Ａ）は、光学式リモコンの発生する送信データ信号の基本を示す図であり、図９（Ｂ）は、データ信号１ビットの構成を示す図であり、図９（Ｃ）は、データｎバイトを送る場合を示す図であり、図９（Ｄ）は、光学式リモコンの変調部の出力波形を示す図である。
【図１０】図１０（Ａ）乃至（Ｆ）は、それぞれ、データｎバイトを送る場合の光学式リモコンの発生する送信データ信号のデータフォーマットの例を示す図である。
【図１１】図１１は、電波式リモコンの発生する信号を示す図である。
【図１２】図１２は、カメラ本体の認証モードを示す図である。
【図１３】図１３は、カメラ本体の電源の投入時の認証モード設定指定に関する選択を説明する図である。
【図１４】図１４は、制限モードでの使用可能な機能を説明する図である。
【図１５】図１５（Ａ）は、カメラ本体のスイッチやボタンが押された場合の動作の大略を示した図であり、図１５（Ｂ）は、リモコンのスイッチやボタンが押された場合のカメラ本体の対応動作の大略を示す図である。
【図１６】図１６は、認証モードの遷移を説明するための図である。
【図１７Ａ】図１７Ａは、撮像機器における状態遷移とプロセスを説明する一連のフローチャートの第１の部分を示す図である。
【図１７Ｂ】図１７Ｂは、撮像機器における状態遷移とプロセスを説明する一連のフローチャートの第２の部分を示す図である。
【図１７Ｃ】図１７Ｃは、撮像機器における状態遷移とプロセスを説明する一連のフローチャートの第３の部分を示す図である。
【図１７Ｄ】図１７Ｄは、撮像機器における状態遷移とプロセスを説明する一連のフローチャートの第４の部分を示す図である。
【図１７Ｅ】図１７Ｅは、撮像機器における状態遷移とプロセスを説明する一連のフローチャートの第５の部分を示す図である。
【図１７Ｆ】図１７Ｆは、撮像機器における状態遷移とプロセスを説明する一連のフローチャートの第６の部分を示す図である。
【図１８】図１８は、本発明の第３実施形態において撮影した画像に認証モードを付加する場合のＥｘｉｆの例を示す図である。
【図１９】図１９（Ａ）は、アルバム形式で画像群を保存する場合のアルバムインデックスの例を示す図であり、図１９（Ｂ）は、個々の画像ファイルそのものの付属データとして認証モードを記録した例を説明するための図である。
【図２０】２０（Ａ）は、画像に認証モード情報を埋め込む場合の例を示す図であり、図２０（Ｂ）は、透かしの例を説明するための図である。
【図２１】図２１（Ａ）は、本発明の第４実施形態におけるリモコンの制御部の構成を示す図であり、図２１（Ｂ）は、データ表の例を示す図である。
【図２２】図２２（Ａ）乃至（Ｃ）は、それぞれ、可変リモコン識別情報付きの場合のリモコンからの送信データ信号のデータフォーマットを示す図である。
【図２３】図２３は、カメラ本体のパワーオン時の可変リモコン識別情報要求と設定について説明するためのフローチャートを示す図である。
【図２４】図２４（Ａ）は、本発明の第５実施形態におけるリモコンの制御部の構成を示す図であり、図２４（Ｂ）は、カメラ本体の構成を示す図である。
【図２５】図２５は、第５実施形態の動作を説明するためのフローチャートを示す図である。
【図２６】図２６（Ａ）乃至（Ｃ）は、それぞれ、リモコンからの送信データ信号のデータフォーマットを示す図である。
【図２７】図２７（Ａ）及び（Ｂ）は、それぞれ、本発明の第６実施形態におけるカメラ本体の動作を説明するためのフローチャートを示す図である。
【図２８】図２８（Ａ）乃至（Ｅ）は、それぞれ、リモコンからの送信データ信号のデータフォーマットを示す図である。
【図２９】図２９（Ａ）は、図９（Ｂ）と同様の１ビットデータ波形を示す図であり、図２９（Ｂ）は、本発明の第７実施形態における指令機器情報の送信時の１ビットデータ波形を示す図である。
【図３０】図３０（Ａ）は、図９（Ｂ）と同様の１ビットデータ波形を示す図であり、図３０（Ｂ）は、本発明の第８実施形態における送信データの一部のパターンに用いる特殊パターンを示す図である。
【図３１】図３１（Ａ）及び（Ｂ）は、本発明の第９実施形態における受光素子の配置を説明するためのカメラ本体の正面図及び背面図である。
【図３２】図３２は、第９実施形態における受光部の別の配置を示す図である。
【図３３】図３３は、図３２の受光部の構成の一例を示す図である。
【図３４】図３４（Ａ）及び（Ｂ）は、受光部の別の構成を説明するために受光部を側面及び上面から見た図である。
【図３５】図３５（Ａ）及び（Ｂ）は、受光部の更に別の構成を説明するために受光部を側面及び上面から見た図である。
【符号の説明】
【０３７９】
１０…デジタルカメラ、  １２…カメラ本体、  １４…レンズ部、  １６…フラッシュ、  １８，１８Ａ，１８Ｂ…受光素子、  ２０…発光素子、  ２２…マイクロフォン、  ２４…シャッタスイッチ、  ２６…パワースイッチ、  ２８…パワーランプ、  ３０…セレクトスイッチ、  ３２，９０…アンテナ、  ３４…モニタ、  ３６，７２…十字スイッチ、  ３８，７４…ＯＫボタン、  ４０，７６…メニューボタン、  ４２…ズームスイッチ、  ４４，８２…消去ボタン、  ４６，７８…プリントボタン、  ４８…スピーカ、  ５０…デジタルムービカメラ、  ５２…電源モードスイッチ、  ５４，７０…光学式リモコン、  ５６…発光部、  ５８…撮影指令ボタン、  ６０…認証設定スイッチ、  ６０Ａ…操作部、  ６０Ｂ…通常位置、  ６０Ｃ…認証位置、  ６２…テレボタン、  ６４…ワイドボタン、  ６６…プラスボタン、  ６８…マイナスボタン、  ８０…情報ボタン、  ８４…回転ボタン、  ８６…保護ボタン、  ８８…電波式リモコン、  ９２…制限ボタン、  ９４…設定ボタン、  ９６…禁止ボタン、  ９８…許可ボタン、  １００…撮像素子、  １０２…撮像処理回路、  １０４…内蔵メモリ、  １０６…着脱メモリ、  １０８…受信部、  １０８Ａ，１１２Ａ…増幅部、  １０８Ｂ，１１２Ｂ…フィルタ部、  １０８Ｃ，１１２Ｃ…検波部、  １０８Ｄ，１１２Ｄ…積分部、  １０８Ｅ，１１２Ｅ…波形整形部、  １０８Ｆ，１１２Ｆ…デコーダ部、  １１０…主制御部、  １１０Ａ…認証情報認識部、  １１２…受光部、  １１４…ズーム制御部、  １１６…露光制御部、  １１８…測距制御部、  １２０…画像処理回路、  １２２…暗号化・復号化回路、  １２４…外部インターフェイス、  １２６…バス、  １２８…モードメモリ、  １３０…発光部、  １３２…表示制御部、  １３４…音声処理部、  １３６…電源回路、  １３８…電池、  １４０…禁止タイマ、  １４２…制御部、  １４２Ａ…認証情報記憶部、  １４４…変調部、  １４６…発振部、  １４８…トランジスタ、  １５０…抵抗、  １５２…電力増幅部、  １５４…リーダコード、  １５６…ストップコード、  １５８…データ部、  １６０，１６６…ヘッダ、  １６２…ＥＣＣ、  １６４…固定リモコン識別情報、  １６８…サムネイル、  １７０…画像データ、  １７２Ａ〜１７２Ｃ…アルバムインデックス、  １７４…画像ファイル、  １７６…画像、  １８２…乱数発生部、  １８４…データ表、  １８６…可変リモコン識別情報、  １８８，１９０…計数部、  １９２…計数値、  １９４…機能範囲指定情報、  １９６…ＩＤ情報、  １９８Ａ，１９８Ｂ…受光部、  ２００…透光性カバー、  ２０２…ミラー、  ２０４…リモコン、  ２０６…指令光、  ２０８…光ファイバ、  ２１０…集光用レンズ。
【図１Ａ】
2008109590.tif 000003
【図１Ｂ】
2008109590.tif 000004
【図２】
2008109590.tif 000005
【図３】
2008109590.tif 000006
【図４】
2008109590.tif 000007
【図５】
2008109590.tif 000008
【図６】
2008109590.tif 000009
【図７】
2008109590.tif 000010
【図８】
2008109590.tif 000011
【図９】
2008109590.tif 000012
【図１０】
2008109590.tif 000013
【図１１】
2008109590.tif 000014
【図１２】
2008109590.tif 000015
【図１３】
2008109590.tif 000016
【図１４】
2008109590.tif 000017
【図１５】
2008109590.tif 000018
【図１６】
2008109590.tif 000019
【図１７Ａ】
2008109590.tif 000020
【図１７Ｂ】
2008109590.tif 000021
【図１７Ｃ】
2008109590.tif 000022
【図１７Ｄ】
2008109590.tif 000023
【図１７Ｅ】
2008109590.tif 000024
【図１７Ｆ】
2008109590.tif 000025
【図１８】
2008109590.tif 000026
【図１９】
2008109590.tif 000027
【図２０】
2008109590.tif 000028
【図２１】
2008109590.tif 000029
【図２２】
2008109590.tif 000030
【図２３】
2008109590.tif 000031
【図２４】
2008109590.tif 000032
【図２５】
2008109590.tif 000033
【図２６】
2008109590.tif 000034
【図２７】
2008109590.tif 000035
【図２８】
2008109590.tif 000036
【図２９】
2008109590.tif 000037
【図３０】
2008109590.tif 000038
【図３１】
2008109590.tif 000039
【図３２】
2008109590.tif 000040
【図３３】
2008109590.tif 000041
【図３４】
2008109590.tif 000042
【図３５】
2008109590.tif 000043